(57)【特許請求の範囲】
【請求項１】
筐体内に収納される内部機構に設けられ、上記筐体内から外部へ排出すべき媒体を所定の空間内に保留すると共に、当該空間と外部との間で上記媒体を通過させる通過孔が形成された保留部と、
上記通過孔を閉塞し又は開放する扉と、
所定の操作子を介した切替操作により、上記扉を自在に開閉させ上記空間から外部への上記媒体の排出を許容する排出許容状態又は上記扉を強制的に閉塞させ上記空間から外部への上記媒体の排出を禁止する排出禁止状態に切り替える排出抑制部と、
上記排出抑制部における上記排出許容状態と上記排出禁止状態との間の切替を許容し、上記筐体内に上記内部機構を収納した状態を保持することにより上記操作子を介した上記切替操作を禁止する切替抑制部と
を具えることを特徴とする媒体排出装置。
【請求項２】
上記切替抑制部は、
上記筐体内に収納されている上記内部機構又は上記媒体に対する外部からの直接操作を禁止する際に上記切替を禁止し、上記直接操作を許容する際に上記切替を許容する
ことを特徴とする請求項１に記載の媒体排出装置。
【請求項３】
所定の筐体内から外部へ排出すべき媒体を所定の空間内に保留すると共に、当該空間と外部との間で上記媒体を通過させる通過孔が形成された保留部と、
上記通過孔を閉塞し又は開放する扉と、
上記扉を自在に開閉させ上記空間から外部への上記媒体の排出を許容する排出許容状態又は上記扉を強制的に閉塞させ上記空間から外部への上記媒体の排出を禁止する排出禁止状態に切り替える排出抑制部と、
上記排出抑制部を上記排出許容状態又は上記排出禁止状態のいずれかに誘導する誘導部と
を具えることを特徴とする媒体排出装置。
【請求項４】
所定の筐体内から外部へ排出すべき媒体を所定の空間内に保留すると共に、当該空間と外部との間で上記媒体を通過させる通過孔が形成された保留部と、
上記通過孔を閉塞し又は開放する扉と、
上記扉を自在に開閉させ上記空間から外部への上記媒体の排出を許容する排出許容状態又は上記扉を強制的に閉塞させ上記空間から外部への上記媒体の排出を禁止する排出禁止状態に切り替える排出抑制部と
を具え、
上記扉は、
所定の回動軸を中心に回動することにより上記通過孔を開放又は閉塞し、
上記排出抑制部は、
上記扉と一体に上記回動軸を移動可能に支持し、
当該回動軸を所定の許容位置に移動させることにより上記排出許容状態に切り替える一方、上記扉が上記通過孔を閉塞した状態で上記回動軸を上記回動位置と異なる禁止位置に移動させることにより上記排出禁止状態に切り替える
ことを特徴とする媒体排出装置。
【請求項５】
外部から所定の筐体内へ取り込むべき媒体を投入させる投入部と、
上記投入部に投入された上記媒体が所定条件を満たすか否かを鑑別する鑑別部と、
上記鑑別部により上記条件を満たすと鑑別された上記媒体を収納する収納部と、
請求項１、請求項３又は請求項４に記載の媒体排出装置と
を具え、
上記媒体排出装置の上記保留部は、上記鑑別部により上記条件を満たさないと鑑別され上記筐体内から外部へ排出すべき媒体を上記空間内に保留する
ことを特徴とする媒体処理装置。
【発明の詳細な説明】
【技術分野】
【０００１】
本発明は、媒体排出装置及び媒体処理装置に関し、例えばスーパーマーケットやコンビニエンスストア等のような小売店舗の精算所において使用されるレジ釣銭機に適用して好適なものである。
【背景技術】
【０００２】
近年、レジ釣銭機においては、ＰＯＳ（Point Of Sales）システム等に接続されたレジスタ部に、媒体としての紙幣や硬貨の入出金処理を行う釣銭処理部が組み合わされたものが普及しつつある。
【０００３】
この釣銭処理部のうち硬貨を処理する硬貨処理部は、例えばレジ係員に硬貨を投入させると共に釣銭用の硬貨を排出する入出金部、硬貨を搬送する搬送部、硬貨の種類を鑑別する鑑別部及び硬貨を収納する収納部等を有している。
【０００４】
また硬貨処理部のなかには、鑑別部において正当では無いと判別された硬貨（以下これをリジェクト硬貨と呼ぶ）を排出するためのリジェクト部を有するものも提案されている（例えば、特許文献１参照）。
【先行技術文献】
【特許文献】
【０００５】
【特許文献１】特開２０１１−１１３２２４公報（第１図）
【発明の概要】
【発明が解決しようとする課題】
【０００６】
ところで、リジェクト部に供給されたリジェクト硬貨の扱いについては、店舗等おける精算処理の運用方針等により異なっており、例えばレジ釣銭機を操作するレジ係員に取り扱わせる場合や、レジ係員による取り扱いを禁止して専門の管理者に取り扱わせる場合がある。
【０００７】
前者に適合するレジ釣銭機では、リジェクト部においてリジェクト硬貨を制限無く取り出せるように構成することになる。一方、後者に適合するレジ釣銭機では、リジェクト部を扉等により閉塞して施錠し、管理者が保有する鍵を用いて解錠しなければリジェクト硬貨を取り出せないように構成することになる
【０００８】
すなわちレジ釣銭機においては、運用方針等の相違に起因したリジェクト部に関する複数の異なる要求に対し、それぞれに対応する複数種類の構成を用意する必要が生じてしまう。
【０００９】
このためレジ釣銭機においては、要求に応じた仕様ごとに設計や製造の手間がかかり、また部品や在庫等の管理の手間も増加し、さらには製造コスト等の増加にも繋がってしまう、という問題があった。
【００１０】
本発明は以上の点を考慮してなされたもので、排出すべき媒体に関し異なる要求に対応し得る媒体排出装置及び媒体処理装置を提案しようとするものである。
【課題を解決するための手段】
【００１１】
かかる課題を解決するため本発明の媒体排出装置においては、筐体内に収納される内部機構に設けられ、筐体内から外部へ排出すべき媒体を所定の空間内に保留すると共に、当該空間と外部との間で媒体を通過させる通過孔が形成された保留部と、通過孔を閉塞し又は開放する扉と、所定の操作子を介した切替操作により、扉を自在に開閉させ空間から外部への媒体の排出を許容する排出許容状態又は扉を強制的に閉塞させ空間から外部への媒体の排出を禁止する排出禁止状態に切り替える排出抑制部と、排出抑制部における排出許容状態と排出禁止状態との間の切替を許容し、筐体内に内部機構を収納した状態を保持することにより操作子を介した切替操作を禁止する切替抑制部とを設けるようにした。
【００１２】
また本発明の媒体排出装置においては、所定の筐体内から外部へ排出すべき媒体を所定の空間内に保留すると共に、当該空間と外部との間で媒体を通過させる通過孔が形成された保留部と、通過孔を閉塞し又は開放する扉と、扉を自在に開閉させ空間から外部への媒体の排出を許容する排出許容状態又は扉を強制的に閉塞させ空間から外部への媒体の排出を禁止する排出禁止状態に切り替える排出抑制部と、排出抑制部を排出許容状態又は排出禁止状態のいずれかに誘導する誘導部とを設けるようにした。
さらに本発明の媒体排出装置においては、所定の筐体内から外部へ排出すべき媒体を所定の空間内に保留すると共に、当該空間と外部との間で媒体を通過させる通過孔が形成された保留部と、通過孔を閉塞し又は開放する扉と、扉を自在に開閉させ空間から外部への媒体の排出を許容する排出許容状態又は扉を強制的に閉塞させ空間から外部への媒体の排出を禁止する排出禁止状態に切り替える排出抑制部とを設け、扉は、所定の回動軸を中心に回動することにより通過孔を開放又は閉塞し、排出抑制部は、扉と一体に回動軸を移動可能に支持し、当該回動軸を所定の許容位置に移動させることにより排出許容状態に切り替える一方、扉が通過孔を閉塞した状態で回動軸を回動位置と異なる禁止位置に移動させることにより排出禁止状態に切り替えるようにした。
【００１３】
さらに本発明の媒体処理装置においては、外部から所定の筐体内へ取り込むべき媒体を投入させる投入部と、投入部に投入された媒体が所定条件を満たすか否かを鑑別する鑑別部と、鑑別部により条件を満たすと鑑別された媒体を収納する収納部と、上記いずれかの媒体排出装置とを設け、該媒体排出装置の保留部は、鑑別部により条件を満たさないと鑑別され筐体内から外部へ排出すべき媒体を所定の空間内に保留するようにした。
【００１４】
本発明は、扉を開閉させて媒体の空間内から外部への排出を許容する排出許容状態と、扉を強制的に閉塞して媒体を空間内に保留し外部への排出を禁止する排出禁止状態とを、排出抑制部により容易に切り替えることができ、さらに内部機構を筐体に収容した状態を保持するだけで、切替操作を禁止し排出禁止状態を保持することができる。
【発明の効果】
【００１５】
本発明によれば、扉を開閉させて媒体の空間内から外部への排出を許容する排出許容状態と、扉を強制的に閉塞して媒体を空間内に保留し外部への排出を禁止する排出禁止状態とを、排出抑制部により容易に切り替えることができ、さらに内部機構を筐体に収容した状態を保持するだけで、切替操作を禁止し排出禁止状態を保持することができる。かくして本発明は、排出すべき媒体に関し異なる要求に対応し得る媒体排出装置及び媒体処理装置を実現できる。
【図面の簡単な説明】
【００１６】
【図１】レジ釣銭機の全体構成を示す略線的斜視図である。
【図２】釣銭処理部の構成（１）を示す略線的平面図である。
【図３】釣銭処理部の構成（２）を示す略線的正面図である。
【図４】釣銭処理部の構成（３）を示す略線的左側面図である。
【図５】硬貨処理部の構成（１）を示す略線的平面図である。
【図６】硬貨処理部の構成（２）を示す略線的斜視図である。
【図７】第１の実施の形態によるリジェクト部の構成（１）を示す略線図である。
【図８】開閉抑制部の構成を示す略線図である。
【図９】開閉抑制部の湾曲を示す略線図である。
【図１０】第１の実施の形態によるリジェクト部の構成（２）を示す略線図である。
【図１１】第２の実施の形態によるリジェクト部の構成（１）を示す略線図である。
【図１２】開閉抑制部と切替レバーとの関係を示す略線的斜視図である。
【図１３】第２の実施の形態によるリジェクト部の構成（２）を示す略線図である。
【図１４】第３の実施の形態によるリジェクト部の構成を示す略線図である。
【図１５】第４の実施の形態によるリジェクト部の構成を示す略線図である。
【図１６】第５の実施の形態によるリジェクト部の構成を示す略線図である。
【図１７】第６の実施の形態によるリジェクト部の構成を示す略線図である。
【図１８】第７の実施の形態によるリジェクト部の構成を示す略線的正面図である。
【図１９】第８の実施の形態によるリジェクト部の構成を示す略線的正面図である。
【図２０】第９の実施の形態によるリジェクト部の構成（１）を示す略線図である。
【図２１】連結孔の構成を示す略線的側面図である。
【図２２】第９の実施の形態によるリジェクト部の構成（２）を示す略線図である。
【図２３】他の実施の形態によるリジェクト部の構成（１）を示す略線図である。
【図２４】他の実施の形態によるリジェクト部の構成（２）を示す略線図である。
【発明を実施するための形態】
【００１７】
以下、発明を実施するための形態（以下実施の形態とする）について、図面を用いて説明する。
【００１８】
［１．第１の実施の形態］
［１−１．レジ釣銭機の構成］
図１に外観を示すように、レジ釣銭機１は、大きく分けて上側のレジスタ部２と、下側の釣銭処理部３とにより構成されている。このレジ釣銭機１は、例えばスーパーマーケットやコンビニエンスストアのような小売店舗の精算所（いわゆるレジ）において、顧客が購入したい商品を精算する際に、レジ係員により操作されるようになされている。
【００１９】
なお以下では、レジ係員が対峙する側面及びその反対面をそれぞれ前面及び後面とし、さらに当該レジ係員から見て左右及び上下を定義して説明する。
【００２０】
レジスタ部２は、内蔵された制御部５によりレジ釣銭機１全体を統括制御するようになされている。またレジスタ部２には、図示しないバーコードリーダが接続されており、商品に付されたバーコードをこのバーコードリーダで読み取ることにより、当該商品を認識するようになされている。
【００２１】
表示操作部６は、液晶ディスプレイ等でなる表示部と、当該液晶ディスプレイに重ねて配置されたタッチパネル等でなる操作部とにより構成されている。
【００２２】
表示操作部６は、認識した商品の名称や金額等を液晶ディスプレイに表示する。また表示操作部６は、表示画面の一部に数字等の入力キーを表示しており、タッチパネル上の入力キーに対応する箇所が押下操作されると、当該入力キーに対応した入力操作を受け付けて制御部５へ送信する。これに応じて制御部５は、商品の数量の増減や金額の修正等の各処理を行うようになされている。
【００２３】
またレジスタ部２には、レシート処理部７が内蔵されている。レシート処理部７は、認識した商品の名称や金額等をレシートに印字し、これをレシート排出口７Ａから排出するようになされている。
【００２４】
一方、釣銭処理部３は、図２及び図３に示すように、大きく分けて、左側の硬貨処理部１１と、右側の紙幣処理部１２と、前側上部の表示操作部１３とにより構成されている。
【００２５】
表示操作部１３は、所定の表示パネル及び所定の操作ボタンの組み合わせにより構成されている。
【００２６】
表示操作部１３の表示パネルは、硬貨処理部１１及び紙幣処理部１２における稼働状況を表示するようになされており、例えば硬貨処理部１１において釣銭用の硬貨が不足していることや、光学検出部（後述する）により異常を検出したこと、或いはその箇所等を表示する。
【００２７】
表示操作部１３の操作ボタンは、レジ係員等による押下操作を介して、例えば硬貨の搬送等に関する指示を受け付けるようになされている。
【００２８】
紙幣処理部１２は、レジ係員により所定の紙幣入出口から投入された紙幣を紙幣鑑別部（図示せず）により鑑別して内部の紙幣収納庫に収納すると共に、制御部５から指示された紙幣を内部の紙幣収納庫から取り出し、これを紙幣入出口から釣銭として排出するようになされている。
【００２９】
また釣銭処理部３は、図４（Ａ）に示すように、硬貨処理部１１及び紙幣処理部１２の各機構等が組み込まれた内部機構１４のうち前面側を除いた各面を、筐体１５により外部から覆う構成となっている。以下では、この状態を収納状態と呼ぶ。
【００３０】
筐体１５は、比較的厚く強固な金属板により構成されており、内部機構１４内に収納された紙幣及び硬貨並びに内部機構１４そのものを保護している。また筐体１５は、前後方向に伸縮可能なスライドレール１６を介して内部機構１４が取り付けられている。
【００３１】
このため釣銭処理部３は、図４（Ａ）に示した収納状態において、スライドレール１６の伸縮機能を利用して筐体１５の前方へ内部機構１４を引き出すことにより、図４（Ｂ）に示すように、当該内部機構１４を露出させた状態とすることができる。以下では、この状態を露出状態と呼ぶ。
【００３２】
さらに釣銭処理部３における内部機構１４の前面左端近傍には、機構錠１７が設けられている。この機構錠１７は、図示しない機構鍵が差し込まれ回動されることにより、図示しない係合爪を回動させるようになされている。
【００３３】
一方、筐体１５には、左内側面のうち収納状態（図４（Ａ））において機構錠１７の係合爪と対応する箇所に、所定形状の係合溝が形成されている。
【００３４】
また機構錠１７には、図示しない機構鍵が差し込まれ係合爪が回動される際、カム１７Ｃも一体に回動させるようになされている。一方、内部機構１４内におけるカム１７Ｃと対応する箇所には、当該カム１７Ｃと対応する箇所に検出スイッチ１８が取り付けられている。
【００３５】
検出スイッチ１８は、制御部５と接続されており、本体から伸び出た検出子がカム１７Ｃによって本体側へ押し付けられたか否かを検出し、その検出結果を制御部５へ通知するようになされている。
【００３６】
かかる構成により機構錠１７は、機構鍵が差し込まれ係合爪と共に所定方向へ回動されると、当該係合爪を係合溝に係合させ（すなわち施錠する）、又は当該係合爪と係合溝との係合を解除する（すなわち解錠する）ようになされている。
【００３７】
実際上レジ釣銭機１は、精算処理が行われる場合、釣銭処理部３を収納状態（図４（Ａ））にし機構錠１７により施錠した状態で、レジ係員等により操作させる。
【００３８】
一方レジ釣銭機１は、保守作業が行われる場合、保守作業者等により機構鍵を用いて機構錠１７を解錠させ、内部機構１４を前方に引き出して釣銭処理部３を露出状態（図４（Ｂ））にさせる。
【００３９】
またレジ釣銭機１は、検出スイッチ１８を介して機構錠１７が施錠され又は解錠されていることを認識し、例えば解錠されている間は精算処理を中断し、施錠されれば精算処理を再開するようになされている。
【００４０】
このようにレジ釣銭機１の釣銭処理部３は、機構錠１７を施錠することにより収納状態（図４（Ａ））に維持される一方、機構錠１７が解錠されると筐体１５から内部機構１４を引き出すことにより露出状態（図４（Ｂ））に遷移し得るようになされている。
【００４１】
［１−２．硬貨処理部の構成］
硬貨処理部１１は、図５に模式的な平面図を示すように、硬貨に関する種々の処理を行う複数の部分が互いに組み合わされて構成されており、各部分を制御部２１により統括制御するようになされている。
【００４２】
制御部２１は、図示しないＣＰＵ（Central Processing Unit）を中心に構成されており、図示しないＲＯＭやフラッシュメモリ等から所定のプログラムを読み出して実行することにより、硬貨処理部１１を統括制御するようになされている。
【００４３】
硬貨処理部１１の前側には、図１〜図３に示したように、媒体としての硬貨ＣＮを投入する硬貨投入口２２、正常でないと鑑別された（すなわちリジェクトされた）硬貨ＣＮを排出するリジェクト部２５、及び釣銭としての硬貨ＣＮを排出する硬貨排出口２８が設けられている。
【００４４】
硬貨投入口２２は、すり鉢状にえぐられたような形状に形成されると共に、その底部に硬貨ＣＮを１枚ずつ排出する排出機構が組み込まれている。また硬貨投入口２２には、所定箇所に硬貨ＣＮの有無を検出する光学素子（図示せず）が組み込まれており、その検出結果を制御部２１へ通知するようになされている。
【００４５】
実際の精算処理において、レジ係員等が顧客から商品の代金として硬貨ＣＮを預かると、この硬貨ＣＮは、レジ係員等によりまとめて硬貨投入口２２へ投入される。硬貨投入口２２は、光学素子により硬貨ＣＮが投入されたことを検出すると、制御部２１の制御に基づき、硬貨ＣＮを１枚ずつ硬貨鑑別部２３に受け渡す。
【００４６】
硬貨鑑別部２３は、硬貨ＣＮの金種（例えば１円、５円、１０円、５０円、１００円及び５００円の６種類）及び真偽等を鑑別し、異常であれば当該硬貨ＣＮをリジェクト部２５へ送出し、正常であれば当該硬貨ＣＮを搬送部２４により後方へ搬送させ、収納庫２６に収納させる。また硬貨鑑別部２３は、硬貨ＣＮの鑑別結果を制御部２１へ通知するようになされている。
【００４７】
収納庫２６は、硬貨ＣＮを金種ごとに分別して収納するようになされている。また収納庫２６は、制御部２１の制御に基づき、釣銭として顧客に渡すべき金額に応じて決定された種類及び枚数の硬貨ＣＮを排出し、これを搬送部２７により前方へ搬送させて硬貨排出口２８へ落とし込む。
【００４８】
硬貨排出口２８は、硬貨処理部１１の前面下部から前方へ突出すると共に上部中央が椀状にえぐられたような形状でなり、搬送部２８から落とし込まれた硬貨ＣＮを受け止めて保持すると共に、前上方から容易に取り出せるようになされている。
【００４９】
硬貨排出口２８内に落とし込まれた硬貨ＣＮは、硬貨処理部１１の前方に対峙するレジ係員により取り出され、釣銭として顧客に渡される。
【００５０】
このように硬貨処理部１１は、顧客から商品等の代金として支払われた硬貨ＣＮが硬貨投入口２２に投入されると、当該硬貨ＣＮを硬貨鑑別部２３により鑑別し、正常な硬貨ＣＮについては収納庫２６に収納する一方、異常な硬貨ＣＮについてはリジェクト部２５へ送出するようになされている。
【００５１】
因みに硬貨処理部１１は、保守作業の効率等の観点から、露出状態（図４（Ｂ））においては、硬貨投入口２２を取り外すことにより、その下に位置するリジェクト部２５及び硬貨排出口２８の上面を露出させ得るようになされている。一方、硬貨処理部１１は、硬貨ＣＮ等の保護の観点から、収納状態（図４（Ａ））においては、筐体１５にその一部が覆われることにより硬貨投入口２２を取り外し得ないようになされている。
【００５２】
［１−３．リジェクト部の構成］
リジェクト部２５は、図７（Ａ）及び（Ｂ）に示すように、内部機構１４（図４）の下面を形成する底板３０の上に箱状のフレーム３１が取り付けられたような構成となっている。因みに図７（Ａ）は左側面図であるが、説明の都合上、一部を透過させている。また図７（Ｂ）は底面図である。
【００５３】
フレーム３１は、全体として直方体の後側下部が斜めに削ぎ落とされたような形状に形成されており、その内部に硬貨ＣＮを保留するための空間ＳＰが形成されている。またフレーム３１は、前面、上面及び後面がそれぞれ開放されることにより、左面、下面及び右面でなる樋状に構成されている。
【００５４】
因みに空間ＳＰの上面は、リジェクト部２５の上側に硬貨投入口２２（図１〜図４）が装着されると当該硬貨投入口２２の下面により閉塞され、当該硬貨投入口２２が取り外されると開放される。
【００５５】
フレーム３１の後方には、ベルトコンベア３８が配置されている。ベルトコンベア３８は、硬貨鑑別部２３において異常と鑑別された硬貨ＣＮを前方へ向けて搬送し、フレーム３１の後方から空間ＳＰ内へ放出する。このとき空間ＳＰ内に放出された硬貨ＣＮは、斜面３１Ａに沿って前方へ滑り落ち、底面３１Ｂ上に到達する。
【００５６】
フレーム３１の前方下部には、椀状のトレイ３２が連結されている。トレイ３２は、図１〜図３に示したように、釣銭処理部３の前面から前方へ突出しており、フレーム３１の底面３１Ｂ上にある硬貨ＣＮを前方の通過孔ＨＬから落下させること無く、且つレジ係員等の手により当該硬貨ＣＮを容易にすくい取らせるようになされている。
【００５７】
フレーム３１における空間ＳＰの前方には、通過孔ＨＬを塞ぐように扉３３が設けられている。扉３３は、薄い板状に形成されており、空間ＳＰの内側面に対し上下及び左右にそれぞれ僅かな隙間を形成している。
【００５８】
また扉３３は、上端部分において軸３４に結合されている。軸３４は、左右方向に沿って延びる細長い円柱状に形成されており、左右の両端部分においてフレーム３１の左側板３１Ｃ及び右側板３１Ｄにそれぞれ設けられた軸孔３１ＣＸ及び３１ＤＸにより回動自在に支持されている。すなわち扉３３は、フレーム３１に対し、軸３４と一体に回動し得るようになされている。
【００５９】
ここで扉３３は、外力が加えられない自然状態において、重力の作用により軸３４を中心として下方を向くことになり、このとき通過孔ＨＬを閉塞した状態となる。以下これを閉塞状態と呼ぶ。
【００６０】
因みに軸３４には、図示しない回動センサが設けられており、扉３３が閉塞状態から回動されたか否かを当該回動センサによって検出し、その検出結果を制御部２１（図５）に通知するようになされている。
【００６１】
一方、フレーム３１の下面とトレイ３２の底面との接合部分には、トレイ３２側が僅かに高くなるよう段差３２Ｓが形成されている。段差３２Ｓは、扉３３の閉塞状態において、当該扉３３の下端部分における前面側と当接することにより、当該扉３３の前方への回動を抑制し、後方への回動のみを可能とする。
【００６２】
このため扉３３は、閉塞状態から後方へ回動されることにより通過孔ＨＬを開放し、当該通過孔ＨＬを介して空間ＳＰ内から外部への硬貨ＣＮの取出を許容する。因みに、扉３３の回動時にその下端が描く軌跡Ｃは、軸３４を中心とした円弧状となる。
【００６３】
実際上、リジェクト部２５においてベルトコンベア３８から空間ＳＰ内へ放出された硬貨ＣＮは、斜面３１Ａを滑り降りることにより前方向への速度が高められるため、そのままでは空間ＳＰを通過してトレイ３２内へ到達してしまい、さらにはトレイ３２からも前方へ飛び出してしまう恐れもある。
【００６４】
この点においてリジェクト部２５では、扉３３が自然状態において重力の作用により閉塞されるため、硬貨ＣＮを空間ＳＰ内に保留しておくことができる。
【００６５】
ところでフレーム３１には、斜面３１Ａにおける底面３１Ｂとの接合部分の近傍に、前後方向に貫通する孔部３１Ｆが穿設されている。孔部３１Ｆは、前方向から見た形状が、左右方向に長く上下方向に薄い形状に長方形状となっており、さらに開閉抑制部３５が挿通されている。
【００６６】
開閉抑制部３５は、図８（Ａ）及び（Ｂ）に平面図及び左側面図を示すように、全体として前後方向に細長い形状となっており、カンヌキ部４１、接続部４２及び操作部４３が互いに前後に連結されたような構成となっている。
【００６７】
カンヌキ部４１は、全体として直方体状に構成されており、上下方向及び左右方向の長さが孔部３１Ｆにおける上下方向及び左右方向の孔径よりもそれぞれ僅かに短くなっている。またカンヌキ部４１には、前側の上部が斜めに削ぎ落とされることにより斜面４１Ｘが形成されている
【００６８】
接続部４２は、全体として直方体状に構成されており、カンヌキ部４１と比較して、上下方向の長さがほぼ同等である一方、左右方向及び前後方向にいずれも短くなっている。
【００６９】
操作部４３は、直方体状の中心体４４を中心に構成されている。中心体４４は、接続部４２と比較して、左右方向及び上下方向に長く、前後方向に短くなっており、当該接続部４２に対し互いの上面を揃えるように連結されている。
【００７０】
また中心体４４の左右両側面には、直方体状の係合体４５がそれぞれ連結されている。係合体４５は、中心体４４と比較して、上下方向の長さがほぼ同等である一方、前後方向及び左右方向に短くなっている。
【００７１】
さらに中心体４４の下面には、四角錐台状のつまみ４６が下方へ向けて突設されている。つまみ４６は、中心体４４と比較して、左右方向の長さが僅かに短い一方、前後方向の長さが大幅に短くなっている。
【００７２】
このため操作部４３は、中心体４４の下面における前側部分からつまみ４６の前側斜面に渡る前側操作面４６Ｆに人の指先を当接させた際に、当該指先から当該操作部４３に対して上方向ないし後方向へ向かう外力を加えさせることができる。
【００７３】
また操作部４３は、中心体４４の下面における後側部分からつまみ４６の後側斜面に渡る後側操作面４６Ｒに人の指先を当接させた際に、当該指先から当該操作部４３に対して上方向ないし前方向へ向かう外力を加えさせることができる。
【００７４】
そのうえ開閉抑制部３５は、全体が可撓性及び弾性を有する樹脂材料により構成されており、外力に応じて湾曲され、またこの外力が解放されると元の形状に戻ろうとするようになされている。
【００７５】
ところで底板３０における開閉抑制部３５の操作部４３と対応する箇所には、長方形状の孔部３０Ｈ（図７（Ｂ））が穿設されている。孔部３０Ｈは、左右方向の長さが操作部４３における中心体４４及び左右の係合体４５を合わせた長さよりも長くなっており、また前後方向の長さが操作部４３の中心体４４における前後長の約２倍となっている。
【００７６】
また孔部３０Ｈにおける左右の内側面には、前後方向のほぼ中心となる位置にストッパ３６がそれぞれ取り付けられている。ストッパ３６は、直方体状に構成されており、左右方向のストッパ３６同士の隙間が操作部４３の中心体４４における左右方向の長さよりも広くなっている。
【００７７】
ストッパ３６における上下方向の長さは、操作部４３の係合体４５とほぼ同等であり、底板３０の厚さよりも十分に長くなっている。ストッパ３６は、底板３０と互いの底面を揃えるように、すなわち上面を底板３０から上方へ大きく突出させるように、当該底板３０に取り付けられている。
【００７８】
さらに、ストッパ３６の前面から孔部３０Ｈの前内側面までの間隔Ｇ１は、操作部４３における中心体４４の前面から係合体４５の後面までの距離Ｌ１（図８（Ａ））よりも僅かに長くなっている。また、ストッパ３６の後面から孔部３０Ｈの後内側面までの間隔Ｇ２は、操作部４３における中心体４４の後面から係合体４５の前面までの距離Ｌ２（図８（Ａ））よりも僅かに長くなっている。
【００７９】
かかる構成により開閉抑制部３５は、例えば図７（Ａ）及び（Ｂ）に示したように、カンヌキ部４１が孔部３１Ｆに挿通された上で、操作部４３の係合体４５をストッパ３６の後方に位置させ、操作部４３の下側部分を孔部３０Ｈの後側に嵌め込むことができる。以下、このときの開閉抑制部３５の位置を後方位置と呼ぶ。
【００８０】
このとき開閉抑制部３５は、操作部４３における中心体４４の後面を孔部３０Ｈの後内側面に極めて近接ないし当接させると共に、係合体４５の前面をストッパ３６の後面に極めて近接ないし当接させる。また開閉抑制部３５は、カンヌキ部４１が孔部３１Ｆに挿通されることにより、左右方向及び上下方向への動きが規制される。
【００８１】
このため開閉抑制部３５は、前後方向、左右方向又は上下方向への単純な外力が加えられたとしても、後方位置に止まり続けることになる。このとき開閉抑制部３５は、軸３４から見て扉３３の下端が描く軌跡Ｃよりも遠方にカンヌキ部４１を位置させるため、当該扉３３と干渉又は当接することなく自在に回動させることができる。
【００８２】
これを換言すれば、リジェクト部２５は、開閉抑制部３５が後方位置にある場合、扉３３を回動させて空間ＳＰ内に蓄積された硬貨ＣＮを自在に取り出させること、すなわち空間ＳＰ内から外部への硬貨ＣＮの排出を許容している。そこで以下では、リジェクト部２５において開閉抑制部３５が後方位置にあり扉３３を自在に開閉させ得る状態を排出許容状態とも呼ぶ。
【００８３】
ここで開閉抑制部３５は、指先等により孔部３０Ｈを介して操作部４３に対し上方へ向けた十分な外力が加えられると、図９に示すように、孔部３１Ｆにより上下左右方向に規制されるカンヌキ部４１側を固定端として接続部４２を湾曲させ、操作部４３が上方へ持ち上げられる。
【００８４】
ここで開閉抑制部３５は、係合体４５の下端がストッパ３６の上端よりも上方に位置するまで操作部４３が持ち上げられると、前後方向に関する位置の規制が外れた状態となる。
【００８５】
続いて開閉抑制部３５は、この状態で操作部４３のつまみ４６を介して前方向へ外力が加えられると、前方向へ移動し、係合体４５をストッパ３６よりも前方まで移動させたところで上方向への外力が開放されると、接続部４２を元の形状に復元させる。
【００８６】
これにより開閉抑制部３５は、図７（Ａ）及び（Ｂ）とそれぞれ対応する図１０（Ａ）及び（Ｂ）に示すように、操作部４３の係合体４５をストッパ３６の前方に位置させ、操作部４３の下側部分を孔部３０Ｈの前側に嵌め込むことができる。以下、このときの開閉抑制部３５の位置を前方位置と呼ぶ。
【００８７】
また開閉抑制部３５は、前方位置にあるとき、カンヌキ部４１の前面４１Ｙ（図８（Ｂ））を扉３３の前下端部３３Ａに当接させる。すなわち扉３３は、下端部分を段差３２Ｓ及び開閉抑制部３５により前後から挟まれた状態となる。
【００８８】
このとき開閉抑制部３５は、操作部４３における中心体４４の前面を孔部３０Ｈの前内側面に極めて近接させ若しくは当接させると共に、係合体４５の後面をストッパ３６の前面に極めて近接させ若しくは当接させる。また開閉抑制部３５は、引き続きカンヌキ部４１が孔部３１Ｆに挿通されており、左右方向及び上下方向への動きが規制されている。
【００８９】
このため開閉抑制部３５は、前後方向、左右方向又は上下方向への単純な外力が加えられたとしても、前方位置に止まり続けることになる。すなわち開閉抑制部３５は、閉塞状態にある扉３３に対し後方向へ向かう外力が加えられたとしても、後方向へ動かないため、当該扉３３を閉塞状態に保持することができる。
【００９０】
これを換言すれば、リジェクト部２５は、開閉抑制部３５が前方位置にある場合、扉３３を回動させて空間ＳＰ内に蓄積された硬貨ＣＮを自在に取り出させること、すなわち空間ＳＰ内から外部への硬貨ＣＮの排出を禁止している。そこで以下では、リジェクト部２５において開閉抑制部３５が前方位置にあり扉３３を強制的に閉塞させた状態を排出禁止状態とも呼ぶ。
【００９１】
因みに開閉抑制部３５は、指先等により操作部４３に対し上方へ向けた十分な外力が加えられ、接続部４２を撓ませて当該操作部４３が上方へ持ち上げられた状態で後方へ移動されてから外力が開放されることにより、再び後方位置（図７（Ａ）及び（Ｂ））に戻ることができる。
【００９２】
このようにリジェクト部２５は、開閉抑制部３５を前後方向へ移動させることにより、当該開閉抑制部３５を後方位置として扉３３を自由に回動させる排出許容状態と、当該開閉抑制部３５を前方位置として扉３３を閉塞状態に保持する排出禁止状態とを切り替え得るようになされている。
【００９３】
［１−４．動作及び効果］
以上の構成において、第１の実施の形態によるレジ釣銭機１の硬貨処理部１１は、リジェクト部２５のフレーム３１内に形成した空間ＳＰの前方に、軸３４を中心として後方へのみ回動可能な扉３３を設け、当該扉３３の回動位置に応じて通過孔ＨＬを閉塞又は開放するようにした。
【００９４】
フレーム３１の孔部３１Ｆに挿通された開閉抑制部３５は、操作部４３を底板３０の孔部３０Ｈ及びストッパ３６と適宜係合させることにより後方位置（図７（Ａ）及び（Ｂ））又は前方位置（図１０（Ａ）及び（Ｂ））に保持される。
【００９５】
開閉抑制部３５は、後方位置にあるとき、扉３３との当接や干渉を回避して当該扉３３を自在に開閉させる。このときリジェクト部２５は、空間ＳＰ内に蓄積された硬貨ＣＮの取出（すなわち外部への排出）を許容する排出許容状態となる。
【００９６】
また開閉抑制部３５は、前方位置にあるとき、カンヌキ部４１の前面４１Ｙを扉３３の前下端部３３Ａに当接させ、段差３２Ｓとの間に挟み込むことにより当該扉３３を強制的に閉塞状態に止める。このときリジェクト部２５は、空間ＳＰ内に蓄積された硬貨ＣＮの取出を禁止する排出禁止状態となる。
【００９７】
さらに開閉抑制部３５は、孔部３０Ｈから操作部４３が押し込まれて一時的に上方へ持ち上げられ、当該操作部４３が孔部３０Ｈ及びストッパ３６との係合を解除された状態で前方又は後方へ移動されることにより、後方位置と前方位置とを切り替える（図９）。
【００９８】
従ってリジェクト部２５は、開閉抑制部３５の移動操作により、排出許容状態と排出禁止状態とを容易に切り替えることができる。このためリジェクト部２５は、以上と鑑別された（すなわちリジェクトされた）硬貨ＣＮの取出を誰にでも認めるか、或いは専門の管理者のみに制限するか、といった異なる運用形態のいずれにも対応することができる。
【００９９】
特に開閉抑制部３５は、後方位置及び前方位置のいずれにおいても、操作部４３を孔部３０Ｈ及びストッパ３６と係合させているため、接続部４２等を湾曲させる十分な力が加えられない限りその位置を保持することができ、不用意に外力が加えられたとしても移動してしまう恐れが極めて低い。
【０１００】
また開閉抑制部３５は、接続部４２等の弾性力を利用することにより、孔部３０Ｈを介して上方へある程度の力を加えさせる（押し込ませる）だけでその係合を解除することができ、さらにその力を解放させるだけで再び係合させることができる。
【０１０１】
さらに開閉抑制部３５は、操作部４３につまみ４６を設けたことにより、上方へ持ち上げられた当該操作部４３に対し、そのまま前方又は後方への力を加えさせるだけで移動することができる。
【０１０２】
このため開閉抑制部３５は、係合の解除、前後方向への移動及び再度の係合という複数の作業を、例えば保守作業員の１本の指先による「上方向へ押し込み、そのまま前後方向へ力を加え、最後に力を解放する」といった一連の極めて容易な操作だけで完了させることができる。
【０１０３】
またリジェクト部２５では、仮に扉３３の中央や下側に対し後方向への外力が加えられた場合、この箇所が「てこの原理」における力点となり、軸３４が支点となり、扉３３とカンヌキ部４１の前面４１Ｙとの当接箇所が作用点となる。
【０１０４】
これを踏まえて開閉抑制部３５は、カンヌキ部４１の前面４１Ｙを扉３３における軸３４から最も離れた前下端部３３Ａに当接するよう設け、いわば支点から作用点を最も遠ざけており、カンヌキ部４１や扉３３に大きな力が作用することによる破損を未然に防止できる。
【０１０５】
ところで釣銭処理部３は、機構錠１７を施錠したときには、硬貨処理部１１のリジェクト部２５等が組み込まれた内部機構１４を筐体１５内に収納した収納状態（図４（Ａ））に維持する。また釣銭処理部３は、機構錠１７を解錠したときには、スライドレール１６の作用により内部機構１４を筐体１５に対しスライドさせ、収納状態又は露出状態（図４（Ｂ））に遷移させる。
【０１０６】
またリジェクト庫２５は、内部機構１４が収納状態にあるとき、筐体１５により底板３０の孔部３０Ｈが覆われるため、操作部４３に対する操作、すなわち開閉抑制部３５に対する後方位置と前方位置との切替操作が禁止される。
【０１０７】
従ってリジェクト部２５は、釣銭処理部３が収納状態にあり機構錠１７が施錠されることにより、操作部４３を介した開閉抑制部３５の移動操作を禁止することができる。
【０１０８】
すなわち釣銭処理部３では、機構錠１７の機構鍵を所有していない者、例えば一般のレジ係員に対し、内部機構１４内に保有している紙幣や硬貨ＣＮ等に触れさせないと共に、リジェクト部２５における排出許容状態と排出禁止状態との切替操作も禁止することができる。
【０１０９】
一方釣銭処理部３は、機構錠１７の機構鍵を所有している者、例えば専門の管理者や保守作業員に対し、内部機構１４内の各部に関する各種作業、或いは内部に保有している紙幣や硬貨ＣＮ等の取り扱いを許容すると共に、開閉抑制部３５における排出許容状態と排出禁止状態との切替操作も許容することができる。
【０１１０】
このときリジェクト部２５では、排出許容状態と排出禁止状態との切替操作を許容するか否かについて、内部機構１４の露出を抑制するための機構錠１７により兼用することができるので、専用の錠等を別途設ける必要が無い。
【０１１１】
以上の構成によれば、リジェクト部２５は、開閉抑制部３５を後方位置に移動させたときには、カンヌキ部４１を扉３３の回動範囲外に退避させ当該扉３３を自在に開閉させて硬貨ＣＮの排出を許容する排出許容状態とする一方、開閉抑制部３５を前方位置に移動させたときには、カンヌキ部４１の前面４１Ｙと段差３２Ｓとの間に扉３３を挟み込んで閉塞状態に保持し、硬貨ＣＮの排出を禁止する排出禁止状態とすることができる。そしてリジェクト部２５は、内部機構１４が露出状態にあるときのみ開閉抑制部３５の操作部４３に対する操作を可能とし、当該開閉抑制部３５が一時的に上方へ持ち上げられると共に前後へ力が加えられることにより当該開閉抑制部３５を前後に移動させて、排出許容状態と排出禁止状態とを容易に切り替えさせることができる。
【０１１２】
［２．第２の実施の形態］
第２の実施の形態において、レジ釣銭機、釣銭処理部及び硬貨処理部の全体的な構成については、第１の実施の形態と同様であるためその説明を省略する。
【０１１３】
［２−１．リジェクト部の構成］
第２の実施の形態においては、図１０（Ａ）及び（Ｂ）との対応部分に同一符号を付した図１１（Ａ）及び（Ｂ）に示すように、第１の実施の形態によるリジェクト部２５と対応するリジェクト部１２５が設けられている。因みに図１１（Ｂ）は、図１０（Ｂ）と反対に上面図であり、一部を透過させて表している。
【０１１４】
リジェクト部１２５は、リジェクト部２５と比較して、底板３０、フレーム３１、開閉抑制部３５及びストッパ３６に代わる底板１３０、フレーム１３１、開閉抑制部１３５及び切替レバー１３６を有する点が相違するものの、他の点については同様に構成されている。
【０１１５】
底板１３０は、底板３０と比較して、孔部３０Ｈに代わる孔部１３０Ｈを有する点が相違するものの、他の部分は同様に構成されている。
【０１１６】
孔部１３０Ｈは、内部機構１４が収納状態（図４（Ａ））にあるときには筐体１５により覆われる一方、当該内部機構１４が露出状態（図４（Ｂ））にあるときには外部に露出され、レジ係員等に触れさせることが可能となる。
【０１１７】
フレーム１３１は、フレーム３１と比較して、斜面３１Ａ、底面３１Ｂ及び孔部３１Ｆとそれぞれ対応する斜面１３１Ａ、底面１３１Ｂ及び孔部１３１Ｆを有し、さらに孔部１３１Ｇを有する点が相違するものの、他の部分については同様に構成されている。すなわちフレーム１３１は、内部に空間ＳＰを有しており、その前側に通過孔ＨＬを形成している。
【０１１８】
開閉抑制部１３５は、全体として前後方向に長い薄板状に形成されており、大きく分けて本体部１４１、係止部１４２、回動部１４３及び操作部１４４により構成されている。因みに開閉抑制部１３５は、金属や強度の高い樹脂等により構成されており、湾曲や撓みを殆ど生じないようになされている。
【０１１９】
本体部１４１は、前後方向に長く、且つ上下方向に薄い板状に構成されている。また本体部１４１は、前端部分から上方へ向けて薄板状の係止部１４２が延設されると共に、後端部分から下方へ向けて薄板状の操作部１４４が延設されている。
【０１２０】
本体部１４１の下面における前後中央よりも後寄りとなる箇所には、回動部１４３が設けられている。回動部１４３は、底板１３０に立設された支持柱（図示せず）により回動自在に支持されており、左右方向に沿った回動軸を中心として、開閉抑制部１３５を回動させるようになされている。
【０１２１】
開閉抑制部１３５は、斜面１３１Ａに穿設された孔部１３１Ｆに挿通されており、本体部１４１の長手方向をほぼ水平とする状態において、係止部１４２を扉３３の前下端部３３Ａに当接させると共に、操作部１４４の下端部を底板１３０の孔部１３０Ｈ内に位置させる。以下、このときの開閉抑制部１３５の位置を水平位置と呼ぶ。
【０１２２】
このとき扉３３は、開閉抑制部１３５の係止部１４２と段差３２Ｓとの間に下端部分を前後から挟まれた状態となり、閉塞状態に保持される。
【０１２３】
これを換言すれば、リジェクト部１２５は、開閉抑制部１３５が水平位置にある場合、空間ＳＰ内から外部への硬貨ＣＮの排出を禁止している。そこで以下では、リジェクト部１２５において開閉抑制部１３５が水平位置にある状態を排出禁止状態とも呼ぶ。
【０１２４】
因みに回動部１４３は、図示しないばねが組み込まれており、開閉抑制部１３５に外力が加えられていない場合には、当該開閉抑制部１３５を水平位置に保つようになされている。
【０１２５】
また開閉抑制部１３５は、図中に破線で示すように、本体部１４１の長手方向をほぼ水平にした状態から回動部１４３を中心に回動することにより、係止部１４２を引き下げて扉３３の回動範囲から外すと共に操作部１４４を持ち上げるよう傾いた状態に遷移する。以下、このときの開閉抑制部１３５の位置を傾斜位置と呼ぶ。
【０１２６】
切替レバー１３６は、図１２に模式的な斜視図を示すように、前方から見て右半分が高く左半分が低い、いわば逆Ｌ字状の板状に構成されており、底板１３０の上側における、開閉抑制部１３５の右隣りであって回動部１４３よりも後側に立設されている。
【０１２７】
切替レバー１３６の右側部分は、図１１（Ａ）に示したように、斜面１３１Ａに穿設された孔部１３１Ｇから上端１３６Ａが僅かに露出するよう、その高さが設定されている。
【０１２８】
また切替レバー１３６の左側部分１３６Ｂの上下方向の高さは、開閉抑制部１３５が傾斜位置にあるときに、本体部１４１の下面における回動部１４３と操作部１４４との間にある支持部１４１Ｘの高さとほぼ同等となっている。
【０１２９】
さらに切替レバー１３６は、図示しない支持部材により所定の移動範囲内で左右方向へ移動可能に支持されており、図１２に破線で示したように、開閉抑制部１３５の右側に隣接した位置から左方向へ移動し得るようになされている。
【０１３０】
実際上切替レバー１３６は、図１３（Ａ）及び（Ｂ）に示すように、開閉抑制部１３５が傾斜状態にあるときに左方向へ移動されると、左側部分１３６Ｂを支持部１４１Ｘの下側に潜り込ませ、当該開閉抑制部１３５を傾斜位置に維持することができる。
【０１３１】
このとき扉３３は、開閉抑制部１３５の係止部１４２により当接若しくは干渉されることなく自在に回動することができる。
【０１３２】
これを換言すれば、リジェクト部１２５は、開閉抑制部１３５が傾斜位置にある場合、空間ＳＰ内から外部への硬貨ＣＮの排出を許容している。そこで以下では、リジェクト部１２５において開閉抑制部１３５が傾斜位置にある状態を排出許容状態とも呼ぶ。
【０１３３】
因みに開閉抑制部１３５は、切替レバー１３６が右方向へ移動され左側部分１３６Ｂが支持部１４１Ｘの下側から右隣へ退避されると、回動部１４３に組み込まれたばねの作用により、水平位置に戻る（図１１）。
【０１３４】
このようにリジェクト部１２５は、開閉抑制部１３５の回動により、当該開閉抑制部１３５を傾斜位置として扉３３を閉塞状態に保持する排出禁止状態と、当該開閉抑制部１３５を水平位置として扉３３を自由に回動させる排出許容状態とを切り替え得るようになされている。
【０１３５】
［２−２．動作及び効果］
以上の構成において、第２の実施の形態によるリジェクト部１２５の開閉抑制部１３５は、回動部１４３を中心に回動されることにより、水平位置（図１１（Ａ）及び（Ｂ））又は傾斜位置（図１３（Ａ）及び（Ｂ））に遷移される。
【０１３６】
開閉抑制部１３５は、水平位置にあるとき、係止部１４２を扉３３の前下端部３３Ａに当接させ、段差３２Ｓとの間に挟み込むことにより当該扉３３を閉塞状態に止める。このときリジェクト部１２５は、第１の実施の形態と同様に、空間ＳＰ内に蓄積された硬貨ＣＮの取出を禁止する排出禁止状態となる。
【０１３７】
また開閉抑制部１３５は、水平位置にあるときに、操作部１４４が上方向へ押し上げられると傾斜位置に遷移し、そのまま切替レバー１３６が右方向へ移動されると左側部分１３６Ｂにより支持部１４１Ｘが支持され、傾斜位置を保持する。
【０１３８】
この傾斜位置にあるとき、開閉抑制部１３５は、扉３３との当接や干渉を回避して自在に開閉させる。このときリジェクト部１２５は、第１の実施の形態と同様に、空間ＳＰ内に蓄積された硬貨ＣＮの取出を許容する排出許容状態となる。
【０１３９】
また開閉抑制部１３５は、傾斜位置にあるときに、切替レバー１３６が左方向へ移動されると、当該切替レバー１３６の左側部分１３６Ｂが支持部１４１Ｘの下側から退避し、回動部１４３に組み込まれたばねの作用により、元の水平位置に戻る。
【０１４０】
従ってリジェクト部１２５は、開閉抑制部１３５の回動動作により、排出許容状態と排出禁止状態とを容易に切り替えることができる。
【０１４１】
さらにリジェクト部１２５は、収納状態では筐体１５（図４）により底板１３０の孔部１３０Ｈが覆われると共に硬貨投入口２２の取り外しが制限される。
【０１４２】
このためリジェクト部１２５は、収納状態において機構錠１７が施錠されると、操作部１４４及び切替レバー１３６に対する操作、すなわち開閉抑制部１３５に対する水平位置と傾斜位置との切替操作を禁止することができる。
【０１４３】
一方リジェクト部１２５は、機構錠１７が解錠され内部機構１４が露出状態にされ、さらに硬貨投入口２２が取り外されると、操作部１４４及び切替レバー１３６に対する操作、すなわち開閉抑制部１３５に対する水平位置と傾斜位置との切替操作を許容することができる。
【０１４４】
すなわちリジェクト部１２５は、第１の実施の形態と同様、機構錠１７の施錠又は解錠と連動して、排出禁止状態と排出許容状態との切替操作を禁止し又は許容することができるので、専用の錠を別途設ける必要が無い。
【０１４５】
その他の点についても、第２の実施の形態によるリジェクト部１２５は、第１の実施の形態によるリジェクト部２５と同様の効果を奏し得る。
【０１４６】
以上の構成によれば、リジェクト部１２５は、開閉抑制部１３５を水平位置に回動させたときには、係止部１４２と段差３２Ｓとの間に扉３３を挟み込んで硬貨ＣＮの排出を禁止する排出禁止状態とする一方、開閉抑制部１３５を傾斜位置に回動させたときには、係止部１４２を扉３３の回動範囲外に退避させ当該扉３３を自在に開閉させて硬貨ＣＮの排出を許容する排出許容状態とすることができる。そしてリジェクト部１２５は、内部機構１４が露出状態にあるときのみ開閉抑制部１３５の操作部１４４及び切替レバー１３６に対する操作を可能とし、当該開閉抑制部１３５を回動させると共に切替レバー１３６を左右に移動させることにより、排出禁止状態と排出許容状態とを容易に切り替えさせることができる。
【０１４７】
［３．第３の実施の形態］
第３の実施の形態において、レジ釣銭機、釣銭処理部及び硬貨処理部の全体的な構成については、第１の実施の形態と同様であるためその説明を省略する。
【０１４８】
［３−１．リジェクト部の構成］
第３の実施の形態においては、図１０（Ａ）及び（Ｂ）との対応部分に同一符号を付した図１４（Ａ）及び（Ｂ）に示すように、第１の実施の形態によるリジェクト部２５と対応するリジェクト部２２５が設けられている。因みに図１４（Ｂ）は、図１０（Ｂ）と異なり上面図である。
【０１４９】
リジェクト部２２５は、リジェクト部２５と比較して、フレーム３１、開閉抑制部３５及びストッパ３６に代わるフレーム２３１、開閉抑制部２３５及びばね２３６を有する点が相違するものの、他の点については同様に構成されている。
【０１５０】
フレーム２３１は、フレーム３１と比較して、左側面３１Ｃと対応する左側面２３１Ｃに支柱２３１Ｋを立設させている点が相違するものの、他の部分については同様に構成されている。すなわちフレーム２３１は、内部に空間ＳＰを有しており、その前側に通過孔ＨＬを形成している。
【０１５１】
開閉抑制部２３５は、全体として前後方向に長い薄板状に形成されており、大きく分けて本体部２４１、係止部２４２、回動軸２４３及び操作部２４４により構成されている。因みに開閉抑制部２３５は、金属や強度の高い樹脂等により構成されており、湾曲や撓みを殆ど生じないようになされている。
【０１５２】
本体部２４１は、全体として前後方向に長く左右方向に薄い板状に構成されており、前後方向の中央付近において左右方向にクランク状に折り曲げられたような形状に形成されている。また本体部２４１は、前端部分から左方向へ向けて薄板状の係止部２４２が延設されると共に、後端付近における上端部分から右方向へ向けて薄板状の操作部２４４が延設されている。
【０１５３】
因みに開閉抑制部２３５の操作部２４４は、内部機構１４が収納状態（図４（Ａ））にあるときには筐体１５により覆われる一方、当該内部機構１４が露出状態（図４（Ｂ））にあるときには外部に露出され、レジ係員等に触れさせることが可能となる。
【０１５４】
また本体部２４１におけるクランク状に折れ曲がった箇所から僅かに前方の箇所には、左方向へ向けて細い円柱状の回動軸２４３が立設されている。回動軸２４３は、フレーム２３１の左側面２３１Ｃに穿設された軸孔２３１ＣＹにより回動可能に支持されおり、フレーム２３１に対し当該回動軸２４３を中心に開閉抑制部２３５全体を回動させ得るようになされている。
【０１５５】
説明の都合上、以下では回動軸２４３に対する係止部２４２の方向を開閉抑制部２３５の方向とする。例えば図１４（Ａ）において、開閉抑制部２３５は前方を向いているものとする。
【０１５６】
開閉抑制部２３５は、操作部２４４に対し前下方向へ向かう外力が加えられると、その方向が前方から上方を経て後方となるよう、すなわち左方向から見て反時計回りとなるよう、係止部２４２により円弧状の軌跡（図中破線で示す）を描きながら回動される。因みに開閉抑制部２３５の回動範囲は、フレーム２３１等により、その方向が前方から上方を経て後方までの範囲に規制されている。
【０１５７】
開閉抑制部２３５は、前方を向いているとき、当該係止部２４２を扉３３の前下端部３３Ａに当接させる。このとき扉３３は、係止部２４２と段差３２Ｓとの間に下端部分を前後から挟まれており、閉塞状態に保持される。
【０１５８】
これを換言すれば、リジェクト部２２５は、開閉抑制部２３５が前方を向いている場合、空間ＳＰ内から外部への硬貨ＣＮの排出を禁止している。そこで以下では、リジェクト部３２５において開閉抑制部２３５が前方を向いている状態を排出禁止状態とも呼ぶ。
【０１５９】
また開閉抑制部２３５は、後方を向いているとき、軸３４から見て扉３３の下端が描く軌跡Ｃよりも遠方に係止部２４２を位置させる。このとき扉３３は、開閉抑制部２３５の係止部２４２により当接若しくは干渉されることなく自在に回動することができる。
【０１６０】
これを換言すれば、リジェクト部２２５は、開閉抑制部２３５が後方を向いている場合、空間ＳＰ内から外部への硬貨ＣＮの排出を許容している。そこで以下では、リジェクト部３２５において開閉抑制部２３５が後方を向いている状態を排出許容状態とも呼ぶ。
【０１６１】
ところで本体部２４１におけるクランク状に折れ曲がった箇所から僅かに前方の箇所には、左方向へ向けて細い円柱状の支柱２４５が立設されている。またフレーム２３１の左側面２３１Ｊにおける軸受のほぼ真上となる箇所には、左方向へ向けて細い円柱状の支柱２３１Ｋが立設されている。
【０１６２】
開閉抑制部２３５の支柱２４５とフレーム２３１の支柱２３１Ｋとの間には、コイルばねでなるばね２３６が自然状態から伸長された状態で掛け渡されている。ばね２３６は、自然状態からの延長量に応じて復元力、すなわち自然状態に近づくよう縮まろうとする力が高まる。
【０１６３】
ここで、開閉抑制部２３５の回動範囲内における支柱２４５と支柱２３１Ｋとの距離は、開閉抑制部２３５が上方を向いているときが最も長く、開閉抑制部２３５が前方又は後方を向いているときが最も短い。
【０１６４】
このためばね２３６は、その復元力により、開閉抑制部２３５が真上よりも前寄りを向いているときには前方を向くように、また当該開閉抑制部２３５が真上よりも後寄りを向いているときには後方を向くように、当該開閉抑制部２３５を回動させる。
【０１６５】
すなわち開閉抑制部２３５は、外力が加えられて回動された後に任意の位置で当該外力が解放されたとしても、ばね２３６の作用により、前方又は後方を向く状態に誘導され、その方向を保持するようになされている。
【０１６６】
このようにリジェクト部２２５は、開閉抑制部２３５の回動により、当該開閉抑制部２３５が前方を向き扉３３を閉塞状態に保持する排出禁止状態と、当該開閉抑制部２３５が後方を向き扉３３を自由に回動させる排出許容状態とを切り替え得るようになされている。
【０１６７】
［３−２．動作及び効果］
以上の構成において、第３の実施の形態によるリジェクト部２２５の開閉抑制部２３５は、フレーム２３１の左側板２３１Ｃに対し回動軸２４３を介して回動自在に支持され、操作部２４４に対し外力が加えられると、当該回動軸２４３を中心に回動してその方向を前方から後方までの範囲内で変化させる。
【０１６８】
開閉抑制部２３５は、前方を向いているとき、係止部２４２を扉３３の前下端部３３Ａに当接させ、段差３２Ｓとの間に挟み込むことにより当該扉３３を閉塞状態に止める。このときリジェクト部２２５は、第１の実施の形態と同様に、空間ＳＰ内に蓄積された硬貨ＣＮの取出を禁止する排出禁止状態となる。
【０１６９】
また開閉抑制部２３５は、後方を向いているとき、係止部２４２を扉３３の回動範囲から退避させ、当該扉３３との当接や干渉を回避して自在に開閉させる。このときリジェクト部２２５は、第１の実施の形態と同様に、空間ＳＰ内に蓄積された硬貨ＣＮの取出を許容する排出許容状態となる。
【０１７０】
従ってリジェクト部２２５は、開閉抑制部２３５の回動操作により、排出許容状態と排出禁止状態とを容易に切り替えることができる。
【０１７１】
またリジェクト部２２５は、ばね２３６の復元力により、開閉抑制部２３５の方向を前方又は後方へ誘導し、その中間に止めることがない。このためリジェクト部２２５は、操作部２４４を介した回動操作が中途半端な方向で中断されたとしても、開閉抑制部２３５を確実に前方又は後方に向けることができる。
【０１７２】
さらにリジェクト部２２５は、第１の実施の形態と同様、機構錠１７の施錠又は解錠と連動して、排出許容状態と排出禁止状態との切替操作を禁止し又は許容することができるので、専用の錠を別途設ける必要が無い。
【０１７３】
その他の点についても、第３の実施の形態によるリジェクト部２２５は、第１の実施の形態によるリジェクト部２５と同様の効果を奏し得る。
【０１７４】
以上の構成によれば、リジェクト部２２５は、開閉抑制部２３５を前方に向けたときには、係止部２４２と段差３２Ｓとの間に扉３３を挟み込んで硬貨ＣＮの排出を禁止する排出禁止状態とする一方、開閉抑制部２３５を後方へ向けるよう回動させたときには、係止部２４２を扉３３の回動範囲外に退避させ当該扉３３を自在に開閉させて硬貨ＣＮの排出を許容する排出許容状態とすることができる。そしてリジェクト部２２５は、内部機構１４が露出状態にあるときのみ開閉抑制部２３５の操作部２４４に対する操作を可能とし、当該開閉抑制部２３５を回動させることにより排出禁止状態と排出許容状態とを容易に切り替えさせることができる。
【０１７５】
［４．第４の実施の形態］
第４の実施の形態において、レジ釣銭機、釣銭処理部及び硬貨処理部の全体的な構成については、第１の実施の形態と同様であるためその説明を省略する。
【０１７６】
［４−１．リジェクト部の構成］
第４の実施の形態においては、図１０（Ａ）及び（Ｂ）との対応部分に同一符号を付した図１５（Ａ）及び（Ｂ）に示すように、第１の実施の形態によるリジェクト部２５と対応するリジェクト部３２５が設けられている。因みに図１５（Ｂ）は、図１０（Ｂ）と反対に上面図であり、説明の都合上、一部を透過させて表している。
【０１７７】
リジェクト部３２５は、リジェクト部２５と比較して、底板３０、フレーム３１及び開閉抑制部３５に代わる底板３３０、フレーム３３１及び開閉抑制部３３５を有する点、並びにストッパ３６が省略されている点が相違するものの、他の点については同様に構成されている。
【０１７８】
底板３３０は、底板３０と比較して、孔部３０Ｈに代わる孔部３３０Ｈが穿設されている点が相違するものの、他の部分は同様に構成されている。孔部３３０Ｈは、長円が円弧状に湾曲されたような形状となっている。
【０１７９】
孔部３３０Ｈは、内部機構１４が収納状態（図４（Ａ））にあるときには筐体１５により覆われる一方、当該内部機構１４が露出状態（図４（Ｂ））にあるときには外部に露出され、レジ係員等に触れさせることが可能となる。
【０１８０】
フレーム３３１は、おおむねフレーム３１と同様に構成されており、内部に空間ＳＰを有し、その前側に通過孔ＨＬを形成している。またフレーム３３１は、斜面３３１Ａの下端に孔部３１Ｆと対応する孔部３３１Ｆが穿設されている。
【０１８１】
開閉抑制部２３５は、全体として前後方向に長い薄板状に形成されており、大きく分けて本体部３４１、係止部３４２、回動軸３４３及び操作部３４４により構成されている。因みに開閉抑制部３３５は、金属や強度の高い樹脂等により構成されており、湾曲や撓みを殆ど生じないようになされている。
【０１８２】
本体部３４１は、前後方向に長く、且つ上下方向に薄い板状に構成されており、図１５（Ｂ）に示したように、上方から見て平行四辺形状に形成されている。また本体部３４１は、前端部分から上方へ向けて薄板状の係止部３４２が延設されると共に、後端部分から下方へ向けて薄板状の操作部３４４が延設されている。
【０１８３】
本体部３４１の下面における前後中央よりも後寄りとなる箇所には、下方向へ向けて回動軸３４３が立設されている。回動軸３４３は、上下方向に沿った中心軸を有する細い円柱状に形成されており、底板３３０により回動自在に支持され、当該底板３３０に対し開閉抑制部３３５を回動させるようになされている。
【０１８４】
説明の都合上、以下では回動軸３４３に対する係止部３４２の方向を開閉抑制部３３５の方向とする。例えば図１４（Ａ）において、開閉抑制部３３５は扉３３の左下端部がある方向を向いているものとする。
【０１８５】
開閉抑制部３３５は、斜面３３１Ａに穿設された孔部３３１Ｆに挿通されており、扉３３の左下端部を向いた状態において、係止部３４２を扉３３の左下端部に当接させると共に、操作部３４４の下端部を底板３３０の孔部３３０Ｈ内において左寄りに位置させる。以下、このときの開閉抑制部３３５の方向を扉接方向と呼ぶ。
【０１８６】
開閉抑制部３３５が扉接方向を向いているとき、扉３３は、係止部３４２と段差３２Ｓとの間に下端部分を前後から挟まれるため、閉塞状態に保持される。
【０１８７】
これを換言すれば、開閉抑制部３３５は、扉接方向を向いている場合、空間ＳＰ内から外部への硬貨ＣＮの排出を禁止している。そこで以下では、リジェクト部３２５において開閉抑制部３３５が扉接方向を向いている状態を排出禁止状態とも呼ぶ。
【０１８８】
一方、開閉抑制部３３５は、扉接方向を向いている状態において操作部３４４に対し右方向へ向かう外力が加えられると、回動軸３４３を中心に上方から見て時計回りに回動し、図１５（Ｃ）に示すように、係止部３４２を左方向へ移動させて、扉３３の左方を向いた状態となる。以下、このときの開閉抑制部３３５の方向を扉外方向と呼ぶ。
【０１８９】
開閉抑制部３３５が扉外方向を向いているとき、係止部３４２は、扉３３回動範囲から外れた位置にある。このため扉３３は、開閉抑制部３３５の係止部３４２により当接若しくは干渉されることなく自在に回動することができる。
【０１９０】
これを換言すれば、開閉抑制部３３５は、扉外方向を向いている場合、空間ＳＰ内から外部への硬貨ＣＮの排出を許容している。そこで以下では、リジェクト部３２５において開閉抑制部３３５が後方を向いている状態を排出許容状態とも呼ぶ。
【０１９１】
因みに開閉抑制部３３５は、扉外方向を向いており且つ扉３３が閉塞状態にあるときに、操作部３４４に対し左方向へ向かう外力が加えられると、回動軸３４３を中心に上方から見て反時計回りに回動し、係止部３４２を右方向へ移動させて扉３３に当接させ、再び扉接方向を向く。
【０１９２】
このようにリジェクト部３２５は、開閉抑制部３３５の回動により、当該開閉抑制部３３５が扉接方向を向き扉３３を閉塞状態に保持する排出禁止状態と、当該開閉抑制部３３５が扉外方向を向き扉３３を自由に回動させる排出許容状態とを切り替え得るようになされている。
【０１９３】
［４−２．動作及び効果］
以上の構成において、第４の実施の形態によるリジェクト部３２５の開閉抑制部３３５は、操作部３４４を介して左右方向への外力が加えられると、回動軸３４３を中心に回動されることにより、その方向を扉接方向又は扉外方向へ変化させる。
【０１９４】
開閉抑制部３３５は、扉接方向を向いているとき、係止部３４２を扉３３の前下端部３３Ａに当接させ、段差３２Ｓとの間に挟み込むことにより当該扉３３を閉塞状態に止める。このときリジェクト部３２５は、第１の実施の形態と同様に、空間ＳＰ内に蓄積された硬貨ＣＮの取出を禁止する排出禁止状態となる。
【０１９５】
また開閉抑制部３３５は、扉外方向を向いているとき、係止部３４２を扉３３の回動範囲から退避させ、当該扉３３との当接や干渉を回避して自在に開閉させる。このときリジェクト部３２５は、第１の実施の形態と同様に、空間ＳＰ内に蓄積された硬貨ＣＮの取出を許容する排出許容状態となる。
【０１９６】
従ってリジェクト部３２５は、開閉抑制部３３５の回動動作により、排出許容状態と排出禁止状態とを容易に切り替えることができる。
【０１９７】
さらにリジェクト部３２５は、第１の実施の形態と同様、機構錠１７の施錠又は解錠と連動して、排出許容状態と排出禁止状態との切替操作を禁止し又は許容することができるので、専用の錠を別途設ける必要が無い。
【０１９８】
その他の点についても、第４の実施の形態によるリジェクト部３２５は、第１の実施の形態によるリジェクト部２５と同様の効果を奏し得る。
【０１９９】
以上の構成によれば、リジェクト部３２５は、開閉抑制部３３５を扉接方向に向けたときには、係止部３４２と段差３２Ｓとの間に扉３３を挟み込んで硬貨ＣＮの排出を禁止する排出禁止状態とする一方、開閉抑制部３３５を扉外方向に向けるよう回動させたときには、係止部３４２を扉３３の回動範囲外に退避させ当該扉３３を自在に開閉させて硬貨ＣＮの排出を許容する排出許容状態とすることができる。そしてリジェクト部３２５は、内部機構１４が露出状態にあるときのみ開閉抑制部３３５の操作部３４４に対する操作を可能とし、当該開閉抑制部３３５を回動させることにより排出禁止状態と排出許容状態とを容易に切り替えさせることができる。
【０２００】
［５．第５の実施の形態］
第５の実施の形態において、レジ釣銭機、釣銭処理部及び硬貨処理部の全体的な構成については、第１〜第４の実施の形態と同様であるためその説明を省略する。
【０２０１】
［５−１．リジェクト部の構成］
第５の実施の形態においては、図１６（Ａ）及び（Ｂ）に示すように、第１の実施の形態によるリジェクト部２５と対応するリジェクト部４２５が設けられている。因みに図１６（Ａ）は正面図であり、図１６（Ｂ）は斜視図である。また図１６（Ａ）及び（Ｂ）は、いずれもリジェクト部４２５の一部を省略して表している。
【０２０２】
リジェクト部４２５は、リジェクト部２５と比較して、開閉抑制部３５に代わる開閉抑制部４３５を有する点、及び連動板４３３を有する点が相違するものの、他の点については同様に構成されている。なお図示しないが、底板３０に相当する底板４３０は、孔部３０Ｈ及びストッパ３６が省略され、平坦に形成されている。
【０２０３】
フレーム４３１は、おおむねフレーム３１と同様に構成されており、内部に空間ＳＰを有し、その前側に通過孔ＨＬを形成している。
【０２０４】
連動板４３３は、軸３４に取り付けられており、当該軸３４を回動中心として扉３３と一体に回動するようになされている。
【０２０５】
また連動板４３３は、左右方向に長く上下方向に薄い直方体状に形成されており、扉３３が閉塞状態にあるときに軸３４から後方へ向かって伸びるように、すなわち左右側面から見て扉３３との間になす角度が約９０度となるように取り付けられている。
【０２０６】
因みに連動板４３３は、左右方向の長さが扉３３とほぼ同等であり、前後方向の長さが扉３３における上下方向の長さよりも十分に短くなっている。
【０２０７】
連動板４３３の上面における右端近傍には、開閉抑制部４３５が設けられている。開閉抑制部４３５は、大きく分けて本体部４４１及び操作部４４４により構成されている。
【０２０８】
本体部４４１は、連動板４３３よりも小さい直方体状に構成されており、当該連動板４３３と同様、左右方向に長く上下方向に薄い形状に形成されている。また本体部４４１は、連動板４３３に対し所定の移動範囲内で左右方向へ移動し得るように支持されている。
【０２０９】
因みに本体部４４１は、図示しないラッチ機構が組み込まれており、移動範囲の右端又は左端においてその位置を安定させ、比較的弱い外力が加えられただけでは移動しないようになされている。
【０２１０】
本体部４４１の上面における左寄りの箇所には、当該本体部４４１よりも小さな直方体状でなる操作部４４４が取り付けられている。
【０２１１】
操作部４４４は、左右方向及び前後方向の長さがいずれも本体部４４１よりも十分に短いものの、上下方向の長さが当該本体部４４１よりも長くなっている。これにより操作部４４４は、開閉抑制部４３５に対し左右方向に外力を加える際に「つまみ」として機能するようになされている。
【０２１２】
一方、フレーム４３１の右側板４３１Ｄには、軸３４を回動自在に支持する軸孔４３１ＤＸの後方に、角穴でなる孔部４３１ＤＹが穿設されている。孔部４３１ＤＹは、左右方向から見て、扉３３が閉塞状態にあるときに開閉抑制部４３５の本体部４４１と重なる箇所に位置しており、且つ当該本体部４４１の輪郭よりも僅かに大きい長方形となっている。
【０２１３】
実際上開閉抑制部４３５は、操作部４４４を介して左方向へ向かう外力が加えられると、連動板４３３上を左方向へ移動し、図１６（Ａ）及び（Ｂ）に実線で示したように、本体部４４１の右端を連動板４３３の右端に揃える位置まで移動する。
【０２１４】
このとき開閉抑制部４３５は、フレーム４３１に対し何ら当接若しくは係合しないため、連動板４３３、軸３４及び扉３３を自在に回動させることができる。
【０２１５】
これを換言すれば、開閉抑制部４３５は、左側に位置している場合、空間ＳＰ内から外部への硬貨ＣＮの排出を許容している。そこで以下では、リジェクト部４２５において開閉抑制部４３５が左側に位置している状態を排出許容状態とも呼ぶ。
【０２１６】
一方、開閉抑制部４３５は、扉３３が閉塞状態にあるときに操作部４４４を介して左方向へ向かう外力が加えられると、本体部４４１の右側部分（以下これを係止部４４２と呼ぶ）を連動板４３３の右端よりも右方へ突出させ、フレーム４３１の孔部４３１ＤＹに挿入させる。
【０２１７】
このとき開閉抑制部４３５は、係止部４４２をフレーム４３１の孔部４３１ＤＹに係合させることになるため、当該フレーム４３１に対する連動板４３３、軸３４及び扉３３の回動を抑制し、扉３３を閉塞状態に保持する。
【０２１８】
これを換言すれば、開閉抑制部４３５は、右側に位置している場合、空間ＳＰ内から外部への硬貨ＣＮの排出を禁止している。そこで以下では、リジェクト部４２５において開閉抑制部４３５が右側に位置している状態を排出禁止状態とも呼ぶ。
【０２１９】
このようにリジェクト部４２５は、開閉抑制部４３５の移動により、当該開閉抑制部４３５を左側に位置させ扉３３を自由に回動させる排出許容状態と、当該開閉抑制部４３５を右側に位置させ扉３３を閉塞状態に保持する排出禁止状態とを切り替え得るようになされている。
【０２２０】
因みにリジェクト部４２５は、硬貨投入口２２により上側が覆われると、開閉抑制部４３５も覆われることになる。このためリジェクト部４２５では、機構錠１７が解錠されて内部機構１４が露出状態にされ、さらに硬貨投入口２２が取り外された場合のみ、開閉抑制部４３５を左右方向へ移動させることができる。
【０２２１】
［５−２．動作及び効果］
以上の構成において、第５の実施の形態によるリジェクト部４２５の開閉抑制部４３５は、操作部４４４を介して左右方向への外力が加えられると、連動板４３３上を左右方向へ移動する。
【０２２２】
開閉抑制部４３５は、左側に位置し係止部４４２を連動板４３３上に位置させているとき、フレーム４３１の右側板４３１Ｄとの当接や干渉を生じず、当該扉３３を自在に開閉させる。このときリジェクト部４２５は、第１の実施の形態と同様に、空間ＳＰ内に蓄積された硬貨ＣＮの取出を許容する排出許容状態となる。
【０２２３】
また開閉抑制部４３５は、右側に位置し係止部４４２を右側板４３１Ｄの孔部４３１ＤＹに挿入しているとき、フレーム４３１に対する連動板４３３、軸３４及び扉３３の回動を抑制し、扉３３を閉塞状態に止める。このときリジェクト部４２５は、第１の実施の形態と同様に、空間ＳＰ内に蓄積された硬貨ＣＮの取出を禁止する排出禁止状態となる。
【０２２４】
従ってリジェクト部４２５は、開閉抑制部４３５の移動動作により、排出許容状態と排出禁止状態とを容易に切り替えることができる。
【０２２５】
さらにリジェクト部４２５は、硬貨投入口２２により開閉抑制部４３５が覆われると当該開閉抑制部４３５の左右方向への移動操作ができなくなるため、第１の実施の形態と同様、機構錠１７の施錠又は解錠と連動して排出許容状態と排出禁止状態との切替操作を禁止し又は許容することができ、専用の錠等を別途設ける必要が無い。
【０２２６】
またリジェクト部４２５は、その前上側である連動板４３３の上面に開閉抑制部４３５を設けたため、移動操作を容易化し得ると共にその位置を容易に視認させることができ、切替作業の効率を大幅に高めることができる。
【０２２７】
その他の点についても、第５の実施の形態によるリジェクト部４２５は、第１の実施の形態によるリジェクト部２５と同様の効果を奏し得る。
【０２２８】
以上の構成によれば、リジェクト部４２５は、開閉抑制部４３５を左側に移動させたときには、係止部４４２を連動板４３３上に位置させ扉３３を自在に開閉させて硬貨ＣＮの排出を許容する排出許容状態とする一方、開閉抑制部４３５を右側に移動させたときには、係止部４４２をフレーム４３１の孔部４３１ＤＹに挿入させて扉３３の回動を抑制し、硬貨ＣＮの排出を禁止する排出禁止状態とすることができる。そしてリジェクト部４２５は、内部機構１４が露出状態にあり硬貨投入口２２が取り外されたときのみ操作部４４４に対する移動操作を可能とし、開閉抑制部４３５を左右方向へ移動させることにより排出禁止状態と排出許容状態とを容易に切り替えさせることができる。
【０２２９】
［６．第６の実施の形態］
第６の実施の形態において、レジ釣銭機、釣銭処理部及び硬貨処理部の全体的な構成については、第１の実施の形態と同様であるためその説明を省略する。
【０２３０】
［６−１．リジェクト部の構成］
第６の実施の形態においては、図１７（Ａ）及び（Ｂ）に示すように、第１の実施の形態によるリジェクト部２５と対応するリジェクト部５２５が設けられている。因みに図１７（Ａ）は右側面図であり、説明の都合上、一部を透過させて表している。また図１７（Ｂ）は斜視図であり、リジェクト部５２５の一部を省略して表している。
【０２３１】
リジェクト部５２５は、リジェクト部２５と比較して、開閉抑制部３５に代わる開閉抑制部５３５を有する点、及び連動板５３３を有する点が相違するものの、他の点については同様に構成されている。なお図示しないが、底板３０に相当する底板５３０は、第５の実施の形態と同様、孔部３０Ｈ及びストッパ３６が省略され、平坦に形成されている。
【０２３２】
フレーム５３１は、おおむねフレーム３１と同様に構成されており、内部に空間ＳＰを有し、その前側に通過孔ＨＬを形成している。またフレーム５３１の右側板５３１Ｄには、軸孔５３１ＤＸの後方に丸孔でなる軸孔５３１ＤＹが穿設されている。
【０２３３】
連動板５３３は、第５の実施の形態における連動板４３３と同様に構成されており、軸３４に取り付けられ、当該軸３４を回動中心として扉３３と一体に回動するようになされている。
【０２３４】
開閉抑制部５３５は、大きく分けて本体部５４１、回動軸５４３及び操作部５４４により構成されている。
【０２３５】
本体部５４１は、前後方向に細長い直方体状でなり、その右側面における後寄りの箇所から円柱状の回動軸５４３が右方向へ向けて立設されている。回動軸５４３は、左右方向に細長い円柱状でなり、フレーム５３１の右側板５３１Ｄに穿設された軸孔５３１ＤＹに挿通されている。
【０２３６】
回動軸５４３は、フレーム５３１に対し回動し得るようになされており、本体部５４１における長手方向の端部のうち回動軸５４３から遠方の端部（以下これを係止部５４２と呼ぶ）を前方へ向けた状態（図中実線で示す）と上方へ向けた状態（図中破線で示す）との間における約９０度の範囲を回動範囲としている。以下では、説明の都合上、回動軸５４３に対し係止部５４２が向いている方向を開閉抑制部５３５の方向とする。
【０２３７】
因みに回動軸５４３は、図示しないラッチ機構が組み込まれており、係止部５４２を前方へ向けた状態又は上方へ向けた状態において安定し、比較的弱い外力が加えられただけでは回動しないようになされている。
【０２３８】
操作部５４４は、回動軸５４３における右側、すなわち本体部５４１と反対側の端部に取り付けられている。この操作部５４４は、板面を左右に向けた円板状部材における右側面に板状の部材が立設された形状となっており、いわゆる「つまみ」として機能し得るようになされている。
【０２３９】
開閉抑制部５３５は、前方を向いているとき、すなわち回動軸５４３に対し係止部５４２を前方へ向けているとき、当該係止部５４２を連動板５３３の上面に当接させる。これにより開閉抑制部５３５は、連動板５３３、軸３４及び扉３３の回動を抑制することができ、扉３３を閉塞状態に保持する。
【０２４０】
これを換言すれば、開閉抑制部５３５は、前方を向いているとき、空間ＳＰ内から外部への硬貨ＣＮの排出を禁止している。そこで以下では、リジェクト部５２５において開閉抑制部５３５が前方を向いている状態を排出禁止状態とも呼ぶ。
【０２４１】
一方開閉抑制部５３５は、操作部５４４に対し右側から見て時計回りに外力が加えられると、フレーム５３１に対し回動軸５４３を回動中心として回動し、上方を向く。
【０２４２】
このとき開閉抑制部５３５は、係止部５４２を連動板５３３から離隔させ、当該連動板５３３の回動範囲外に退避させる。これにより開閉抑制部５３５は、連動板５３３及び扉３３に対し、当接若しくは干渉すること無く自在に回動させることができる。
【０２４３】
これを換言すれば、開閉抑制部５３５は、上方を向いている場合、空間ＳＰ内から外部への硬貨ＣＮの排出を許容している。そこで以下では、リジェクト部５２５において開閉抑制部５３５が上方を向いている状態を排出許容状態とも呼ぶ。
【０２４４】
因みにリジェクト部５２５は、硬貨投入口２２により上側が覆われると、開閉抑制部５３５も覆われることになる。このためリジェクト部５２５では、第５の実施の形態と同様に、機構錠１７が解錠されて内部機構１４が露出状態にされ、さらに硬貨投入口２２が取り外された場合のみ、開閉抑制部５３５を回動させることができる。
【０２４５】
［６−２．動作及び効果］
以上の構成において、第６の実施の形態によるリジェクト部５２５の開閉抑制部５３５は、操作部５４４を介して外力が加えられると、フレーム５３１に対して回動し、前方又は上方を向く。
【０２４６】
開閉抑制部５３５は、前方を向き係止部５４２を連動板５３３の上面に当接させているとき、フレーム５３１に対する連動板５３３、軸３４及び扉３３の回動を抑制し、扉３３を閉塞状態に止める。このときリジェクト部５２５は、第１の実施の形態と同様に、空間ＳＰ内に蓄積された硬貨ＣＮの取出を禁止する排出禁止状態となる。
【０２４７】
また開閉抑制部５３５は、上方を向き係止部５４２を連動板５３３から離隔させているとき、扉３３又は連動板５３３との間で当接や干渉を生じず、当該扉３３を自在に開閉させる。このときリジェクト部５２５は、第１の実施の形態と同様に、空間ＳＰ内に蓄積された硬貨ＣＮの取出を許容する排出許容状態となる。
【０２４８】
従ってリジェクト部５２５は、開閉抑制部５３５の回動動作により、排出許容状態と排出禁止状態とを容易に切り替えることができる。
【０２４９】
さらにリジェクト部５２５は、硬貨投入口２２により開閉抑制部５３５が覆われると当該開閉抑制部５３５の回動操作ができなくなるため、第１の実施の形態と同様、機構錠１７の施錠又は解錠と連動して排出許容状態と排出禁止状態との切替操作を禁止し又は許容することができ、専用の錠等を別途設ける必要が無い。
【０２５０】
またリジェクト部５２５は、その前上側に開閉抑制部５３５を設けたため、第５の実施の形態と同様、回動操作を容易化し得ると共にその位置を容易に視認させることができ、切替作業の効率を大幅に高めることができる。
【０２５１】
その他の点についても、第６の実施の形態によるリジェクト部５２５は、第１の実施の形態によるリジェクト部２５と同様の効果を奏し得る。
【０２５２】
以上の構成によれば、リジェクト部５２５は、開閉抑制部５３５を前方へ向けたときには、係止部５４２を連動板５３３に当接させて扉３３の回動を抑制し、硬貨ＣＮの排出を禁止する排出禁止状態とする一方、開閉抑制部５３５を上方へ向けたときには、係止部５４２を連動板５３３から離隔させ扉３３を自在に開閉させて硬貨ＣＮの排出を許容する排出許容状態とすることができる。そしてリジェクト部５２５は、内部機構１４が露出状態にあり硬貨投入口２２が取り外されたときのみ操作部５４４に対する回動操作を可能とし、開閉抑制部５３５を回動させることにより排出禁止状態と排出許容状態とを容易に切り替えさせることができる。
【０２５３】
［７．第７の実施の形態］
第７の実施の形態において、レジ釣銭機、釣銭処理部及び硬貨処理部の全体的な構成については、第１の実施の形態と同様であるためその説明を省略する。
【０２５４】
［７−１．リジェクト部の構成］
第７の実施の形態においては、図１８に示すように、第１の実施の形態によるリジェクト部２５と対応するリジェクト部６２５が設けられている。因みに図１８は正面図であり、説明の都合上、リジェクト部６２５の一部を省略して表している。
【０２５５】
図３を用いて説明したように、機構錠１７は、カム１７Ｃが取り付けられており、所定の機構鍵により施錠又は解錠される際に、当該カム１７Ｃを一体に回動させてスイッチ１８の検出子に押し付けるようになされている。
【０２５６】
カム１７Ｃは、正面から見て長方形状に構成されており、図１８に実線で示したように、施錠された状態において長手方向を上下方向に合わせ、また図１８に破線で示したように、解錠された状態において長手方向を左右方向に合わせるよう回動される。
【０２５７】
リジェクト部６２５は、リジェクト部２５と比較して、開閉抑制部３５に代わる開閉抑制部６３５を有する点が相違するものの、他の点については同様に構成されている。
【０２５８】
開閉抑制部６３５は、軸３４の左端に取り付けられており、細長い四角柱が正面から見て逆Ｌ字状に折り曲げられたような形状に構成されている。
【０２５９】
すなわち開閉抑制部６３５は、上下に細長い四角柱状でなる本体部６４１の右側面上側において軸３４に取り付けられており、また左側面の下端から左方向へ向けて左右に細長い四角柱状の係止部６４２が延設されている。
【０２６０】
開閉抑制部６３５の係止部６４２は、扉３３が閉塞状態にあるとき、施錠状態にあるカム１７Ｃの前面に当接する一方、解錠状態にあるカム１７Ｃとは当接しないよう、その形状や位置が調整されている。
【０２６１】
すなわち開閉抑制部６３５は、機構錠１７が施錠されているとき、係止部６４２をカム１７Ｃの前面に当接させる。これにより開閉抑制部６３５は、軸３４と共に扉３３の回動を抑制し、当該扉３３を閉塞状態に保持する。
【０２６２】
これを換言すれば、リジェクト部６２５は、機構錠１７が施錠されているとき、空間ＳＰ内から外部への硬貨ＣＮの排出を禁止している。そこで以下では、リジェクト部６２５において機構錠１７が施錠されている状態を排出禁止状態とも呼ぶ。
【０２６３】
また開閉抑制部６３５は、機構錠１７が解錠されているとき、係止部６４２をカム１７Ｃと当接又は干渉させない。これにより開閉抑制部６３５は、軸３４と共に扉３３を自在に回動させることができる。
【０２６４】
これを換言すれば、リジェクト部６２５は、機構錠１７が解錠されているとき、空間ＳＰ内から外部への硬貨ＣＮの排出を許容している。そこで以下では、リジェクト部６２５において機構錠１７が解錠されている状態を排出許容状態とも呼ぶ。
【０２６５】
［７−２．動作及び効果］
以上の構成において、第７の実施の形態によるリジェクト部６２５の開閉抑制部６３５は、軸３４に取り付けられたことにより、軸３４及び扉３３と一体に回動する。
【０２６６】
開閉抑制部６３５は、機構錠１７が施錠されると、係止部６４２をカム１７Ｃの前面に当接させて軸３４及び扉３３の回動を抑制し、扉３３を閉塞状態に止める。このときリジェクト部６２５は、第１の実施の形態と同様に、空間ＳＰ内に蓄積された硬貨ＣＮの取出を禁止する排出禁止状態となる。
【０２６７】
また開閉抑制部６３５は、機構錠１７が解錠されると、係止部６４２をカム１７Ｃと当接又は干渉させること無く、扉３３を自在に開閉させる。このときリジェクト部６２５は、第１の実施の形態と同様に、空間ＳＰ内に蓄積された硬貨ＣＮの取出を許容する排出許容状態となる。
【０２６８】
従ってリジェクト部６２５は、機構錠１７が施錠又は解錠されることにより、排出許容状態と排出禁止状態とを容易に切り替えることができる。
【０２６９】
特に開閉抑制部６３５は、本体部６４１及び係止部６４２の形状を最適化することにより、本来スイッチ１８の操作子を押し付けるためのカム１７Ｃをそのまま、若しくは僅かに変更するだけで利用することができ、部品点数の増加を最小限に抑えることができ、また構成を複雑化せずに済む。
【０２７０】
その他の点についても、第７の実施の形態によるリジェクト部６２５は、第１の実施の形態によるリジェクト部２５と同様の効果を奏し得る。
【０２７１】
以上の構成によれば、リジェクト部６２５は、機構錠１７が施錠されたときには、係止部６４２をカム１７Ｃに当接させて扉３３の回動を抑制し、硬貨ＣＮの排出を禁止する排出禁止状態とする一方、機構錠１７が解錠されたときには、係止部６４２をカム１７Ｃと当接又は干渉させること無く、扉３３を自在に開閉させて硬貨ＣＮの排出を許容する排出許容状態とすることができる。そしてリジェクト部６２５は、機構錠１７が施錠又は解錠されカム１７Ｃが回動されることにより、排出禁止状態と排出許容状態とを容易に切り替えさせることができる。
【０２７２】
［８．第８の実施の形態］
第８の実施の形態において、レジ釣銭機、釣銭処理部及び硬貨処理部の全体的な構成については、第１の実施の形態と同様であるためその説明を省略する。
【０２７３】
［８−１．リジェクト部の構成］
第８の実施の形態においては、図１８と対応する図１９に示すように、第１の実施の形態によるリジェクト部２５と対応するリジェクト部７２５が設けられている。因みに図１９は図１８と同様に正面図であり、説明の都合上、リジェクト部７２５の一部を省略して表している。
【０２７４】
リジェクト部７２５は、リジェクト部２５と比較して、フレーム３１及び開閉抑制部３５に代わるフレーム７３１及び開閉抑制部７３５を有する点が相違するものの、他の点については同様に構成されている。
【０２７５】
フレーム７３１は、おおむねフレーム３１と同様に構成されており、内部に空間ＳＰを有し、その前側に通過孔ＨＬを形成している。またフレーム７３１の左側板７３１Ｃには、軸孔７３１ＣＸの下方に角穴でなる孔部７３１ＣＹが穿設されている。
【０２７６】
開閉抑制部７３５は、機構錠１７とフレーム７３１の左側板７３１Ｃとの間に配置されており、大きく分けて本体部７４１、係止部７４２、回動軸７４３及び当接部７４４により構成されている。
【０２７７】
本体部７４１は、上下方向に細長い直方体状に形成されており、上下の中央よりもやや上寄りの箇所には、前後方向に沿った回動中心を有する回動軸７４３が設けられている。回動軸７４３は、開閉抑制部７３５全体を正面から見て時計回り又は反時計回りに回動させるようになされている。
【０２７８】
本体部７４１の下端には、係止部７４２が取り付けられている。係止部７４２は、左右方向を長手方向とする直方体状でなり、左右の中央よりも左側において本体部７４１に取り付けられている。
【０２７９】
本体部７４１の左側面における上側には、カム１７Ｃと当接する当接部７４４が設けられている。当接部７４４は、機構錠１７が施錠されカム１７Ｃの長手方向が上下方向に合わされているときには、当該カム１７Ｃと当接せず、当該機構錠１７が解錠されカム１７Ｃの長手方向が左右方向に合わされているときには、当該カム１７Ｃと当接し、右方向へ押し付けられる。
【０２８０】
かかる構成により開閉抑制部７３５は、機構錠１７が施錠されているとき、図中に実線で示したようにカム１７Ｃが長手方向を上下方向に合わせるため、当接部７４４にはカム１７Ｃが当接されず、本体部７４１の長手方向を上下方向へ向ける。
【０２８１】
このとき係止部７４２は、その右側部分を孔部７３１ＣＹに挿通させた上で扉３３の後面における左下側に近接又は当接させる。すなわち扉３３は、係止部７４２により回動が抑制されるため、閉塞状態に保持される。以下、このときの開閉抑制部７３５の位置を係止位置と呼ぶ。
【０２８２】
これを換言すれば、開閉抑制部７３５は、係止位置にあるとき、空間ＳＰ内から外部への硬貨ＣＮの排出を禁止している。そこで以下では、リジェクト部７２５において開閉抑制部７３５が係止位置にある状態を排出禁止状態とも呼ぶ。
【０２８３】
一方、開閉抑制部７３５は、機構錠１７が解錠されているとき、図中に破線で示したようにカム１７Ｃが長手方向を左右方向に合わせるため、当接部７４４にカム１７Ｃが当接され、本体部７４１の長手方向を傾斜させ左下方向へ向けるよう回動される。
【０２８４】
このとき係止部７４２は、扉３３の左側へ移動すると共に孔部７３１ＣＹから引き抜かれ、当該扉３３の回動範囲から退避する。すなわち扉３３は、その回動範囲から係止部７４２が退避するため、自在に回動することができる。以下、このときの開閉抑制部７３５の位置を退避位置と呼ぶ。
【０２８５】
これを換言すれば、開閉抑制部７３５は、退避位置にあるとき、空間ＳＰ内から外部への硬貨ＣＮの排出を許容している。そこで以下では、リジェクト部７２５において開閉抑制部７３５が退避位置にある状態を排出許容状態とも呼ぶ。
【０２８６】
因みに回動軸７４３は、図示しないスプリングが組み込まれており、前方から見て反時計回りとなる方向に本体部７４１を付勢している。このため開閉抑制部７３５は、当接部７４４にカム１７Ｃが当接しない場合、このスプリングにより付勢されて係止位置に回動する。
【０２８７】
［８−２．動作及び効果］
以上の構成において、第８の実施の形態によるリジェクト部７２５の開閉抑制部７３５は、当接部７４４にカム１７Ｃが当接し、又は当接しなくなることにより、回動軸７４３を中心に、係止位置又は待避位置へ回動する。
【０２８８】
開閉抑制部７３５は、機構錠１７が施錠されると、係止部７４２を扉３３の後面における左下側に近接又は当接させる係止位置へ回動され、当該扉３３の回動を抑制して閉塞状態に止める。このときリジェクト部７２５は、第１の実施の形態と同様に、空間ＳＰ内に蓄積された硬貨ＣＮの取出を禁止する排出禁止状態となる。
【０２８９】
また開閉抑制部７３５は、機構錠１７が解錠されると、係止部７４２を扉３３の回動範囲から退避した退避位置へ回動され、当該扉３３を自在に開閉させる。このときリジェクト部７２５は、第１の実施の形態と同様に、空間ＳＰ内に蓄積された硬貨ＣＮの取出を許容する排出許容状態となる。
【０２９０】
従ってリジェクト部７２５は、第７の実施の形態と同様、機構錠１７が施錠又は解錠されることにより、排出許容状態と排出禁止状態とを容易に切り替えることができる。
【０２９１】
特に開閉抑制部７３５は、本体部７４１及び係止部７４２の形状や回動軸７４３の位置等を最適化することにより、本来スイッチ１８の操作子を押し付けるためのカム１７Ｃをそのまま、若しくは僅かに変更するだけで利用することができ、部品点数の増加を最小限に抑えることができ、また構成を複雑化せずに済む。
【０２９２】
またリジェクト部７２５では、仮に扉３３の中央や下側に対し後方向への外力が加えられた場合、この箇所が「てこの原理」における力点となり、軸３４が支点となり、扉３３と係止部７４２との当接箇所が作用点となる。
【０２９３】
この点について開閉抑制部７３５は、係止部７４２を扉３３における軸３４から比較的離れた下側に近接又は当接するよう設け、いわば支点から作用点を遠ざけたことにより、係止部７４２や扉３３に大きな力が作用し破損することを未然に防止できる。
【０２９４】
その他の点についても、第８の実施の形態によるリジェクト部７２５は、第１の実施の形態によるリジェクト部２５と同様の効果を奏し得る。
【０２９５】
以上の構成によれば、リジェクト部７２５は、機構錠１７が施錠されたときには、係止部７４２を扉３３の後面における左下側に近接又は当接させてその回動を抑制し、硬貨ＣＮの排出を禁止する排出禁止状態とする一方、機構錠１７が解錠されたときには、係止部７４２を扉３３の回動範囲から退避させ、当該扉３３を自在に開閉させて硬貨ＣＮの排出を許容する排出許容状態とすることができる。そしてリジェクト部７２５は、機構錠１７が施錠又は解錠されカム１７Ｃが回動されることにより、排出禁止状態と排出許容状態とを容易に切り替えさせることができる。
【０２９６】
［９．第９の実施の形態］
第９の実施の形態において、レジ釣銭機、釣銭処理部及び硬貨処理部の全体的な構成については、第１の実施の形態と同様であるためその説明を省略する。
【０２９７】
［９−１．リジェクト部の構成］
第９の実施の形態においては、図７（Ａ）と対応する図２０（Ａ）に示すように、第１の実施の形態によるリジェクト部２５と対応するリジェクト部８２５が設けられている。因みに図２０では、説明の都合上、リジェクト部８２５の一部を省略している。
【０２９８】
リジェクト部８２５は、リジェクト部２５と比較して、フレーム３１及び扉３３に代わるフレーム８３１及び扉８３３を有すると共に、開閉抑制部３５及びストッパ３６が省略されている点が相違するものの、他の点については同様に構成されている。
【０２９９】
フレーム８３１は、おおむねフレーム３１と同様に構成されており、内部に空間ＳＰを有し、その前側に通過孔ＨＬを形成している。またフレーム８３１の左側板８３１Ｃ及び右側板８３１Ｄには、軸孔３１ＣＸ及び３１ＤＸに代えて連結孔ＪＨが穿設されている。
【０３００】
図２１に拡大図を示すように、連結孔ＪＨは、丸孔状の上孔部ＪＨＡ及び下孔部ＪＨＢが互いに上下に並べて配置され、さらに当該上孔部ＪＨＡ及び下孔部ＪＨＢが連結部ＪＨＣにより連結されたような形状となっている。
【０３０１】
上孔部ＪＨＡ及び下孔部ＪＨＢの孔径は、いずれも第１の実施の形態における軸孔３１ＣＸ又は３１ＤＸと同等でなり、軸３４の外径よりも僅かに大きくなっている。
【０３０２】
連結部ＪＨＣにおける前後方向の孔径Ｇ３は、上孔部ＪＨＡ及び下孔部ＪＨＢにおける孔径よりも小さく、且つ軸３４の外径よりも小さくなっており、いわば連結孔ＪＨにおける「くびれ」となっている。
【０３０３】
このため連結孔ＪＨは、図２０（Ａ）及び図２２（Ａ）に示したように、上孔部ＪＨＡに軸３４が挿通されている場合、当該軸３４を連結部ＪＨＣにより支持し、上孔部ＪＨＡ内に止める。
【０３０４】
図２０（Ａ）及び図２２（Ａ）に示すように、フレーム８３１の底面８３１Ｂには、扉８３３における左右の両端近傍の真下に、それぞれ角穴８３１Ｆが穿設されている。
【０３０５】
角穴８３１Ｆは、前側の内側面をトレイ３２の段差３２Ｓにおける側面部分と揃えるよう穿設されており、また前後方向の孔径が扉８３３における前後方向の厚さよりも僅かに大きく形成されている。
【０３０６】
扉８３３は、第１の実施の形態による扉３３に係止部８３３Ａが追加された構成となっている。係止部８３３Ａは、扉８３３における左右の下端部分のみが下方向へ延長されたような形状となっており、左右方向の長さが角穴８３１Ｆにおける左右方向の孔径よりも小さくなっている。
【０３０７】
また扉８３３は、軸３４が連結孔ＪＨの上孔部ＪＨＡに挿通されているとき、係止部８３３Ａの下端をフレーム８３１の底面８３１Ｂよりも高く、且つ段差３２Ｓに当接させる高さに位置させる。
【０３０８】
このとき扉８３３は、係止部８３３Ａを角穴８３１Ｆから浮き上がらせており、いずれの部品とも干渉又は当接すること無く後方向へ自在に回動することができる。
【０３０９】
これを換言すれば、リジェクト部８２５は、軸３４の挿通箇所が上孔部ＪＨＡである場合、空間ＳＰ内から外部への硬貨ＣＮの排出を許容している。そこで以下では、リジェクト部８２５において軸３４の挿通箇所が上孔部ＪＨＡである状態を排出許容状態とも呼ぶ。
【０３１０】
ところでフレーム８３１は、可撓性を有する樹脂材料により構成されている。このため連結孔ＪＨは、連結部ＪＨＣに対し前後方向へ広げるような外力が加えられたときには孔径Ｇ３を広げるように弾性変形し、この外力が解放されると元の形状に戻ることにより孔径Ｇ３も元に戻すようになされている。
【０３１１】
このため扉８３３は、通過孔ＨＬを閉塞した閉塞状態にあると共に軸３４の挿通箇所が上孔部ＪＨＡであるときに、下方向への外力が加えられると、軸３４により連結部ＪＨＣを押し広げながら下方向へ移動し、図２０（Ｂ）及び図２２（Ｂ）に示すように、当該軸３４の挿通箇所を下孔部ＪＨＢに移す。
【０３１２】
このとき扉８３３は、左右の係止部８３３Ａを左右の角穴８３１Ｆへそれぞれ挿入することになり、当該角穴８３１Ｆにより後方向への回動が抑制され、閉塞状態を保持することになる。
【０３１３】
これを換言すれば、リジェクト部８２５は、軸３４の挿通箇所が下孔部ＪＨＢである場合、空間ＳＰ内から外部への硬貨ＣＮの排出を禁止している。そこで以下では、リジェクト部８２５において軸３４の挿通箇所が上下孔部ＪＨＢである状態を排出禁止状態とも呼ぶ。
【０３１４】
ところで扉８３３は、上下方向に力を加えるための取手やつまみ等を有しておらず、その前面が平坦に形成されている。このため、扉８３３を上方向又は下方向へ移動させる際には、例えば親指と人差し指や中指等との間に把持する等、前後から挟んだ上で、持ち上げ、或いは押し下げる必要がある。
【０３１５】
しかしながら、リジェクト部８２５の上側に硬貨投入口２２が装着されている場合、その構造上、扉８３３の後側に指等をまわすことができず、当該扉８３３を前後から挟むことや上下方向に力を加えることができない。
【０３１６】
このためリジェクト部８２５では、機構錠１７が解錠されて内部機構１４が露出状態にされ、さらに硬貨投入口２２が取り外された場合のみ、扉８３３を上方向又は下方向へ移動させて軸３４の挿通箇所を上孔部ＪＨＡ又は下孔部ＪＨＢに切り替えることができる。
【０３１７】
［９−２．動作及び効果］
以上の構成において、第９の実施の形態によるリジェクト部８２５の扉８３３は、上下方向に移動することにより、軸３４の挿通箇所を上孔部ＪＨＡ又は下孔部ＪＨＢに切り替える。
【０３１８】
扉８３３は、軸３４の挿通箇所が上孔部ＪＨＡであるとき、係止部８３３Ａを角穴８３１Ｆから浮き上がらせ、いずれの部品とも干渉又は当接すること無く後方向へ回動できるので、自在に開閉できる。このときリジェクト部８２５は、第１の実施の形態と同様に、空間ＳＰ内に蓄積された硬貨ＣＮの取出を許容する排出許容状態となる。
【０３１９】
一方、扉８３３は、軸３４の挿通箇所が下孔部ＪＨＢであるとき、係止部８３３Ａを角穴８３１Ｆへ挿入するため回動が抑制され、閉塞状態を保持する。このときリジェクト部８２５は、第１の実施の形態と同様に、空間ＳＰ内に蓄積された硬貨ＣＮの取出を禁止する排出禁止状態となる。
【０３２０】
従ってリジェクト部８２５は、扉８３３を上下方向へ移動させ、軸３４の挿通箇所を上孔部ＪＨＡ又は下孔部ＪＨＢとすることにより、排出許容状態と排出禁止状態とを容易に切り替えることができる。
【０３２１】
特にリジェクト部８２５は、操作部等を介さず扉８３３を直接上方向又は下方向へ移動させるだけで排出許容状態と排出禁止状態とを切り替えることができるので、レジ係員等に直感的に操作させることができる。
【０３２２】
またリジェクト部８２５は、第１〜第８の実施の形態における開閉抑制部３５等のように別体の部品を設ける必要が無いため、部品点数を抑えると共に構成を簡易化することができる。
【０３２３】
またリジェクト部８２５では、扉８３３において軸３４から最も離れた下端部に係止部８３３Ａを形成したため、第１の実施の形態と同様、いわば支点から作用点を遠ざけたことにより、係止部８３３Ａや角穴８３１Ｆ等に大きな力が作用し破損することを未然に防止できる。
【０３２４】
さらにリジェクト部８２５は、硬貨投入口２２により上面が覆われたときには扉８３３及び軸３４に対する上下方向への移動操作ができなくなるため、第１の実施の形態と同様、機構錠１７の施錠又は解錠と連動して排出許容状態と排出禁止状態との切替操作を禁止し又は許容することができ、専用の錠等を別途設ける必要が無い。
【０３２５】
その他の点についても、第９の実施の形態によるリジェクト部８２５は、第１の実施の形態によるリジェクト部２５と同様の効果を奏し得る。
【０３２６】
以上の構成によれば、リジェクト部８２５は、軸３４の挿通箇所が上孔部ＪＨＡであるときには、係止部８３３Ａを角穴８３１Ｆから浮き上がらせ、扉８３３を自在に開閉させて硬貨ＣＮの排出を許容する排出許容状態とする一方、軸３４の挿通箇所が下孔部ＪＨＢであるときには、係止部８３３Ａを角穴８３１Ｆへ挿入して扉８３３の回動を抑制し、硬貨ＣＮの排出を禁止する排出禁止状態とする。そしてリジェクト部８２５は、内部機構１４が露出状態にあり硬貨投入口２２が取り外されたときのみ、扉８３３及び軸３４を上下方向へ移動させて排出禁止状態と排出許容状態とを容易に切り替えさせることができる。
【０３２７】
［１０．他の実施の形態］
なお上述した第１〜第６の実施の形態においては、開閉抑制部３５等を移動又は回動することにより、カンヌキ部４１等を扉３３の後面等に当接又は係合させてその回動を抑制するか、或いは当該抑制を解除するかを切り替えるようにした場合について述べた。
【０３２８】
しかしながら本発明はこれに限らず、例えばフレーム３１の一部を撓ませ扉３３の後面等に当接又は係合させ、或いは取り外し可能な部材を一時的に取り付けて扉３３の後面等に当接又は係合させ、さらにはこれらを適宜組み合わせる等、種々の手法により扉３３の回動を抑制するか、或いは当該抑制を解除するかを切り替えるようにしても良い。
【０３２９】
また上述した第１〜第６の実施の形態においては、排出禁止状態と排出許容状態との切替操作を、内部機構１４が収納され機構錠１７が施錠されたときに禁止し、当該機構錠１７が解錠され内部機構１４が露出されたときに許容するようにした場合について述べた。
【０３３０】
しかしながら本発明はこれに限らず、例えば第１の実施の形態において機構錠１７の他に、又は機構錠１７に代えて、開閉抑制部３５の移動を許容又は禁止する専用の開閉抑制錠を設け、当該開閉抑制錠と対応する専用の鍵により解錠された場合のみ、開閉抑制部３５を移動できるようにしても良い。或いは、第１の実施の形態において筐体１５の下面における孔部３０Ｈと対応する箇所に孔部を穿設することにより、機構錠１７が施錠されているか否かに関わらず、常に排出禁止状態と排出許容状態との切替操作を許容するようにしても良い。第２〜第６の実施の形態についても同様である。
【０３３１】
さらに上述した第２、第５及び第６及び第９の実施の形態においては、機構錠１７が解錠され内部機構１４が露出された際、硬貨投入口２２の取り外しが可能となるようにした場合について述べた。
【０３３２】
しかしながら本発明はこれに限らず、例えば硬貨投入口２２を取り外すための専用の取外し錠を設け、これと対応する専用の鍵により解錠された場合のみ、当該硬貨投入口２２を取り外せるようにしても良い。この場合、機構錠１７及び取外し錠の双方を解錠した上で硬貨投入口２２を取り外した場合のみ、切替レバー１３６、開閉抑制部４３５又は５３５、或いは扉８３３に対する操作が可能となる。
【０３３３】
さらに上述した第１の実施の形態においては、開閉抑制部３５の一部である操作部４３を介して当該開閉抑制部３５を後方位置又は前方位置へ移動させるようにした場合について述べた。
【０３３４】
しかしながら本発明はこれに限らず、例えば他の部品でなる操作部から周知のリンク機構等を介して開閉抑制部３５へ力を伝達することにより当該開閉抑制部３５を後方位置又は前方位置へ移動させるようにしても良い。この場合、例えばラッチ機構等を組み合わせ、所定のしきい値以上の力が加えられた場合のみ開閉抑制部３５を移動させることにより、排出禁止状態又は排出許容状態へ積極的に誘導して不用意に切り替わらないようにすることが好ましい。第２〜第６他の実施の形態についても同様である。
【０３３５】
さらに上述した第１の実施の形態においては、ストッパ３６の上面及び係合体４５の下面をいずれも平面状に形成するようにした場合について述べた。
【０３３６】
しかしながら本発明はこれに限らず、例えばストッパ３６の上面及び係合体４５の下面をいずれも山状に形成しても良い。この場合、開閉抑制部３５を前方位置と後方位置との中間位置に止めることが事実上不可能となり、前方位置又は後方位置のいずれかに誘導することが可能となる。またこの場合、山状部分の頂点を前方又は後方に偏らせることにより、前方位置と後方位置とで誘導される割合を相違させることができる。第５の実施の形態についても同様であり、また第２、第４及び第６の実施の形態においては所定の方向へ回動するよう誘導する機構を組み込むようにしても良い。
【０３３７】
さらに上述した第７の実施の形態においては、機構錠１７が施錠されているときには開閉抑制部６３５の係止部６４２を必ずカム１７Ｃに当接させるようにした場合について述べた。
【０３３８】
しかしながら本発明はこれに限らず、例えば図１８と対応する図２３に示すように、リジェクト部６２５に代わるリジェクト部１０２５において、基部１０３６を介して本体部６４１及び係止部６４２を軸３４に取り付けた開閉抑制部１０３５を設け、基部１０３６に対し本体部６４１を上下方向へ移動し得るようにしても良い。この場合、リジェクト部１０２５では、本体部６４１を上側に位置させたときには係止部６４２を施錠時のカム１７Ｃに当接させ排出禁止状態とすることができる一方、下側に位置させたときには係止部６４２をカム１７Ｃに常に当接させず排出許容状態を保持することができる。
【０３３９】
また、例えば図１８と対応する図２４に示すように、リジェクト部６２５に代わるリジェクト部１１２５において、軸３４に対し本体部６４１を回動させることなく左右方向へ移動させる開閉抑制部１１３５を設けるようにしても良い。この場合、リジェクト部１１２５では、本体部６４１を左側に位置させたときには係止部６４２を施錠時のカム１７Ｃに当接させ排出禁止状態とすることができる一方、右側に位置させたときには係止部６４２を常にカム１７Ｃに当接させず排出許容状態を保持することができる。第８の実施の形態についても、これらと同様の機構を組み合わせることができる。
【０３４０】
さらに上述した第２の実施の形態においては、開閉抑制部１３５に設けた当接部１４２を扉３３の前下端部３３Ａに当接させるようにした場合について述べた。
【０３４１】
しかしながら本発明はこれに限らず、例えば開閉抑制部１３５から当接部１４２を省略し、本体部１４１の前面を扉３３の前下端部３３Ａに当接させるようにしても良い。第３及び第４の実施の形態についても同様である。
【０３４２】
さらに上述した第５の実施の形態においては、連動板４３３に開閉抑制部４３５を取り付けるようにした場合について述べた。
【０３４３】
しかしながら本発明はこれに限らず、例えば扉３３の後面に開閉抑制部４３５を取り付けるようにしても良い。この場合、右側板４３１Ｄに穿設する孔部４３１ＤＹの位置については、開閉抑制部４３５に合わせて定めれば良い。
【０３４４】
さらに上述した第１の実施の形態においては、扉３３の上側に軸３４を設け、重力により当該扉３３を閉塞させるようにした場合について述べた。
【０３４５】
しかしながら本発明はこれに限らず、例えば扉３３の左側や右側に軸を設けるようにしても良い。この場合、軸にばね等を組みこみ、その弾性力や復元力を利用して扉３３を閉塞させるようにしても良く、或いは特にばね等を組み込むことなく、レジ係員等の手作業により閉塞させるようにしても良い。さらには、軸３３にばねを組み込み、このばねの弾性力を利用して扉３３を閉塞させるようにしても良い。第２〜第８の実施の形態についても同様である。
【０３４６】
さらに上述した第９の実施の形態においては、扉８３３の下端に係止部８３３Ａを設けると共にフレーム８３１の底面８３１Ｂに角穴８３１Ｆを穿設するようにした場合について述べた。
【０３４７】
しかしながら本発明はこれに限らず、例えば扉８３３の左右側辺における下部から左右方向へそれぞれ延設するように係止部を設けても良い。この場合、フレーム８３１には、軸３４が下孔部ＪＨＢに挿通されているときのみ係止部と当接し、軸３４が上孔部ＪＨＡに挿通されているときには扉８３３及び係止部のいずれとも当接若しくは干渉しないような形状でなる当接部を、左右の内側面にそれぞれ設ければ良い。
【０３４８】
さらに上述した第９の実施の形態においては、フレーム８３１を可撓性を有する樹脂材料により構成し、連結孔ＪＨが一時的に弾性変形することにより軸３４を上孔部ＪＨＡと下孔部ＪＨＢとの間で移動させるようにした場合について述べた。
【０３４９】
しかしながら本発明はこれに限らず、例えば硬質な材料でなるフレーム８３１に可撓性又は弾性を有する材料でなる別体の部品を組み込むことにより連結部ＪＨＣを構成し、当該連結部ＪＨＣのみが一時的に変形することにより軸３４を上孔部ＪＨＡと下孔部ＪＨＢとの間で移動させるようにしても良く、或いは軸３４を可撓性を有する樹脂材料により構成し、当該軸３４を一時的に変形させることにより上孔部ＪＨＡと下孔部ＪＨＢとの間で移動させるようにしても良い。
【０３５０】
さらに上述した第９の実施の形態においては、連結孔ＪＨにおいて上孔部ＪＨＡ及び下孔部ＪＨＢを上下に配置し、軸３４及び扉８３３を上下に移動させることにより排出許容状態と排出禁止状態とを切り替えるようにした場合について述べた。
【０３５１】
しかしながら本発明はこれに限らず、例えば連結孔ＪＨにおいて丸孔状でなる２つの孔部を前後や斜めに配置し、軸３４及び扉８３３を前後や斜めに移動させることにより排出許容状態と排出禁止状態とを切り替えるようにしても良い。
【０３５２】
さらに上述した実施の形態においては、軸３４を中心に扉３３又は扉８３３を回動させることにより空間ＳＰの通過孔ＨＬを開放又は閉塞するようにした場合について述べた。
【０３５３】
しかしながら本発明はこれに限らず、例えば扉を上下方向や左右方向に移動させることにより空間ＳＰの通過孔ＨＬを開放又は閉塞するようにしても良い。この場合、所定の切替操作に応じて移動又は回動可能な開閉抑制部を扉に当接又は係合させることにより、扉を閉塞状態に保持するか、或いは開閉を許容するかを切り替えるようにすれば良い。
【０３５４】
さらに上述した実施の形態においては、レジ釣銭機の硬貨処理部において、鑑別部において異常とされた硬貨ＣＮを排出するリジェクト部に本発明を適用するようにした場合について述べた。
【０３５５】
しかしながらこれに限らず、例えば金融機関等において職員が入出金処理等を行う入出金装置のリジェクト部や、自動販売機の釣銭返却部、或いはスロットマシン等の遊技機においてメダル等を排出する排出部等、所定の媒体を排出する箇所に本発明を適用するようにしても良い。
【０３５６】
さらに上述した実施の形態においては、保留部としてのフレーム３１と、扉としての扉３３と、排出抑制部としての開閉抑制部３５とによって媒体排出装置としてのリジェクト部２５を構成する場合について述べた。
【０３５７】
しかしながら本発明はこれに限らず、その他種々の構成でなる保留部と、扉と、排出抑制部とによって媒体排出装置を構成するようにしても良い。
【０３５８】
さらに上述した実施の形態においては、投入部としての硬貨投入口２２と、鑑別部としての硬貨鑑別部２３と、収納部としての硬貨収納庫２６と、保留部としてのフレーム３１と、扉としての扉３３と、排出抑制部としての開閉抑制部３５とによって媒体処理装置としての硬貨処理部１１を構成する場合について述べた。
【０３５９】
しかしながら本発明はこれに限らず、その他種々の構成でなる投入部と、鑑別部と、収納部と、保留部と、扉と、排出抑制部とによって媒体処理装置を構成するようにしても良い。
【産業上の利用可能性】
【０３６０】
本発明は、硬貨等の媒体を外部へ排出する機構を有する種々の装置でも利用できる。
【符号の説明】
【０３６１】
１……レジ釣銭機、３……釣銭処理部、１１……硬貨処理部、１４……内部機構、１５……筐体、１７……機構錠、１７Ｃ……カム、２２……硬貨投入口、２３……硬貨鑑別部、２５、１２５、２２５、３２５、４２５、５２５、６２５、７２５、８２５……リジェクト部、３０……底板、３１、１３１、２３１、３３１、４３１、５３１、８３１……フレーム、３２……トレイ、３２Ｓ……段差、３３、８３３……扉、３４……軸、３５、１３５、２３５、３３５、４３５、５３５、６３５、７３５……開閉抑制部、４３、１４４、２４４、３４４、４４４、５４４、６４４……操作部、ＳＰ……空間、ＨＬ……通過孔、ＪＨ……連結孔、ＣＮ……硬貨。
【図１】
0005790456.tif 000002
【図２】
0005790456.tif 000003
【図３】
0005790456.tif 000004
【図４】
0005790456.tif 000005
【図５】
0005790456.tif 000006
【図６】
0005790456.tif 000007
【図７】
0005790456.tif 000008
【図８】
0005790456.tif 000009
【図９】
0005790456.tif 000010
【図１０】
0005790456.tif 000011
【図１１】
0005790456.tif 000012
【図１２】
0005790456.tif 000013
【図１３】
0005790456.tif 000014
【図１４】
0005790456.tif 000015
【図１５】
0005790456.tif 000016
【図１６】
0005790456.tif 000017
【図１７】
0005790456.tif 000018
【図１８】
0005790456.tif 000019
【図１９】
0005790456.tif 000020
【図２０】
0005790456.tif 000021
【図２１】
0005790456.tif 000022
【図２２】
0005790456.tif 000023
【図２３】
0005790456.tif 000024
【図２４】
0005790456.tif 000025